(57)【要約】【課題】各種の情報記録媒体に対して、互換性の優れたデータ構造を提供するものである。【解決手段】この発明は、記憶媒体９においてユーザデータ記録領域３０３と、中間領域３０１とが交互に配置され、中間領域には同期合わせに利用される情報が記録されている。また、ポストアンブル、特定のウォーブルパターンの開始位置と、記録データの記録開始位置、先行する記録単位の記録データの書き終わり位置が特定の関係にある。また記録データは、ＥＣＣブロックを含み特定のウォーブルパターンのうち少なくともいずれかはＥＣＣブロック開始位置の直前に配置されている。【選択図】      図９
2006269073.tif 000002
【特許請求の範囲】
【請求項１】
情報の単位であるセクターが定義され、
上記セクターが１個以上集まって構成されるエラー訂正ブロックが記録データとして定義され、
前記エラー訂正ブロックの少なくとも一部が記録されるユーザデータ記録領域と、複数の前記ユーザデータ記録領域の間に配置される中間領域とを含み、
前記ユーザデータ記録領域及び前記中間領域を上面に配列した記録トラックは、その側部がウォーブル形成されており、
前記中間領域では、前記ユーザデータ記録領域に対応した同期合わせ用として前記ウォーブルのパターンで表現されたデータの領域が含まれており、また、ポストアンブルの領域が含まれ、さらに前記記録データの記録位置に対応した特定のウォーブルパターンの開始位置から後方にずれた位置が前記記録データの記録開始位置に設定され、前記記録データを書き始める単位よりも先行する記録単位の記録データは、前記特定のウォーブルパターンの途中位置まで記録されており、
前記記録データは、ＥＣＣブロックを含むものであり、１個のＥＣＣブロックは、３２個の物理セクタから構成し、かつ前記１個のＥＣＣブロックは２個の小ＥＣＣブロックの組み合せから成り、記録トラックに設けられた複数の上記特定のウォーブルパターンのうち少なくともいずれかは前記記録トラックに記録されるＥＣＣブロック開始位置の直前に配置されていることを特徴とする多目的情報記憶媒体。
【請求項２】
情報の単位であるセクターが定義され、
上記セクターが１個以上集まって構成されるエラー訂正ブロックが記録データとして定義され、
前記エラー訂正ブロックの少なくとも一部が記録されるユーザデータ記録領域と、複数の前記ユーザデータ記録領域の間に配置される中間領域とを含み、
前記ユーザデータ記録領域及び前記中間領域を上面に配列した記録トラックは、その側部がウォーブル形成されており、
前記中間領域では、前記ユーザデータ記録領域に対応した同期合わせ用として前記ウォーブルのパターンで表現されたデータの領域が含まれており、また、ポストアンブルの領域が含まれ、さらに前記記録データの記録位置に対応した特定のウォーブルパターンの開始位置から後方にずれた位置が前記記録データの記録開始位置に設定され、前記記録データを書き始める単位よりも先行する記録単位の記録データは、前記特定のウォーブルパターンの途中位置まで記録されており、
前記記録データは、ＥＣＣブロックを含むものであり、１個のＥＣＣブロックは、３２個の物理セクタから構成し、かつ前記１個のＥＣＣブロックは２個の小ＥＣＣブロックの組み合せから成り、記録トラックに設けられた複数の上記特定のウォーブルパターンのうち少なくともいずれかは前記記録トラックに記録されるＥＣＣブロック開始位置の直前に配置されることを特徴とする情報記憶方法。
【請求項３】
情報の単位であるセクターが定義され、
上記セクターが１個以上集まって構成されるエラー訂正ブロックが記録データとして定義され、
前記エラー訂正ブロックの少なくとも一部が記録されるユーザデータ記録領域と、複数の前記ユーザデータ記録領域の間に配置される中間領域とを含み、
前記ユーザデータ記録領域及び前記中間領域を上面に配列した記録トラックは、その側部がウォーブル形成されており、
前記中間領域では、前記ユーザデータ記録領域に対応した同期合わせ用として前記ウォーブルのパターンで表現されたデータの領域が含まれており、また、ポストアンブルの領域が含まれ、さらに前記記録データの記録位置に対応した特定のウォーブルパターンの開始位置から後方にずれた位置が前記記録データの記録開始位置に設定され、前記記録データを書き始める単位よりも先行する記録単位の記録データは、前記特定のウォーブルパターンの途中位置まで記録されており、
前記記録データは、ＥＣＣブロックを含むものであり、１個のＥＣＣブロックは、３２個の物理セクタから構成し、かつ前記１個のＥＣＣブロックは２個の小ＥＣＣブロックの組み合せから成り、記録トラックに設けられた複数の上記特定のウォーブルパターンのうち少なくともいずれかは前記記録トラックに記録されるＥＣＣブロック開始位置の直前に配置されており、
前記特定のウォーブルパターンが再生されて参照され、前記先行する記録単位の記録データの再生の次に再生すべき前記記録データの再生が行われることを特徴とする情報再生方法。
【請求項４】
情報の単位であるセクターが定義され、
上記セクターが１個以上集まって構成されるエラー訂正ブロックが記録データとして定義され、
前記エラー訂正ブロックの少なくとも一部が記録されるユーザデータ記録領域と、複数の前記ユーザデータ記録領域の間に配置される中間領域とを含み、
前記ユーザデータ記録領域及び前記中間領域を上面に配列した記録トラックは、その側部がウォーブル形成されており、
前記中間領域では、前記ユーザデータ記録領域に対応した同期合わせ用として前記ウォーブルのパターンで表現されたデータの領域が含まれており、また、ポストアンブルの領域が含まれ、さらに前記記録データの記録位置に対応した特定のウォーブルパターンの開始位置から後方にずれた位置が前記記録データの記録開始位置に設定され、前記記録データを書き始める単位よりも先行する記録単位の記録データは、前記特定のウォーブルパターンの途中位置まで記録されており、
前記記録データは、ＥＣＣブロックを含むものであり、１個のＥＣＣブロックは、３２個の物理セクタから構成し、かつ前記１個のＥＣＣブロックは２個の小ＥＣＣブロックの組み合せから成り、記録トラックに設けられた複数の上記特定のウォーブルパターンのうち少なくともいずれかは前記記録トラックに記録されるＥＣＣブロック開始位置の直前に配置されており、
前記特定のウォーブルパターンが再生されて参照され、前記先行する記録単位の記録データの再生の次に再生すべき前記記録データの再生を行う手段を有することを特徴とする情報再生装置。
【発明の詳細な説明】
【技術分野】
【０００１】
この発明は、多目的情報記憶媒体及び記憶方法及び再生方法及び再生装置に関するものである。この発明は、光記録媒体、光学的再生が可能な情報記憶媒体、情報記憶媒体に記録するデータ構造、情報再生装置、情報記録再生装置、情報再生方法、情報記録再生方法に関わる。またこの発明は、上記データ構造を利用した通信設備にも適用が可能である。
【０００２】
またこの発明の実施の形態では、情報記憶媒体に記録するデータフォーマット（記録データ形式）の改良または情報記憶媒体に情報を記録する記録方法または再生方法の改良と情報再生装置または情報記録再生装置の改良を説明している。
【０００３】
またこの発明が有効とされる例としては、次世代ＤＶＤフォーマット、次世代ＤＶＤ−ＲＯＭの記録フォーマット、次世代ＤＶＤ−Ｒ／ＲＷの記録フォーマット、次世代のＤＶＤ−ＲＯＭとＤＶＤ−Ｒ／ＲＷまたはＤＶＤ−ＲＡＭ間の互換性確保技術として有効である。
【背景技術】
【０００４】
近年、情報記録密度が高密度化された光ディスクの分野では、各種のフォーマットが混在するようになっている。光ディスクとしては、再生専用の情報記憶媒体（ＤＶＤ−ＲＯＭ）、追記可能な情報記憶媒体（ＤＶＤ−Ｒ）、書き換え可能な情報記憶媒体（ＤＶＤ−ＲＷまたはＤＶＤ−ＲＡＭ）、が開発されている。
【特許文献１】特許第２７２０８７５号
【特許文献２】特表２００３−５１２６９３号公報
【特許文献３】特開平０９−０２７１２７号公報
【特許文献４】特開平０６−１７６５０４号公報
【発明の開示】
【発明が解決しようとする課題】
【０００５】
上記のように各種のフォーマットが混在する光ディスクの分野では、ユーザ側、メーカー側ににとって、再生装置、記録装置などを購入、製造する上で不便である。
【０００６】
そこで本発明は、上記問題を鑑み、各種の情報記録媒体に対して、互換性の優れたデータ構造を開発し、そのデータの再生方法、記録方法、再生装置、記録装置、記録再生方法及び装置、さらには記録媒体を提供することを目的とするものである。
【課題を解決するための手段】
【０００７】
この発明は、情報の単位であるセクターが定義され、上記セクターが１個以上集まって構成されるエラー訂正ブロックが記録データとして定義され、前記エラー訂正ブロックの少なくとも一部が記録されるユーザデータ記録領域と、複数の前記ユーザデータ記録領域の間に配置される中間領域とを含み、前記ユーザデータ記録領域及び前記中間領域を上面に配列した記録トラックは、その側部がウォーブル形成されており、前記中間領域では、前記ユーザデータ記録領域に対応した同期合わせ用として前記ウォーブルのパターンで表現されたデータの領域が含まれており、また、ポストアンブルの領域が含まれ、さらに前記記録データの記録位置に対応した特定のウォーブルパターンの開始位置から後方にずれた位置が前記記録データの記録開始位置に設定され、前記記録データを書き始める単位よりも先行する記録単位の記録データは、前記特定のウォーブルパターンの途中位置まで記録されており、前記記録データは、ＥＣＣブロックを含むものであり、１個のＥＣＣブロックは、３２個の物理セクタから構成し、かつ前記１個のＥＣＣブロックは２個の小ＥＣＣブロックの組み合せから成り、記録トラックに設けられた複数の上記特定のウォーブルパターンのうち少なくともいずれかは前記記録トラックに記録されるＥＣＣブロック開始位置の直前に配置されている。
【発明の効果】
【０００８】
上記の手段により、記録効率が良く、且つ追記記録時や再生時の記録開始位置へのアクセスが容易である。
【発明を実施するための最良の形態】
【０００９】
以下、この発明の実施の形態を図面を参照して説明する。
【００１０】
まず、本発明の着目している点を分りやすくするために、現行の光ディスクにおけるデータ構造と、その再生手段、或は記録手段などを説明する。
【００１１】
ＤＶＤ（デジタルバーサタイルディスク；DigitalVersatileDisc）規格はＤＶＤフォーラムで作成した規格書に記載されている。ここでは“メインデータ（MainData）のスクランブル（Scramble）方法”、“セクター内のデータ構造”、“ＥＣＣ（ErrorCorrectionCode）ブロックの構成方法”、“SYNCCode（Synchronouscode：再生時の同期合わせコード）のパターンとその挿入方法”、が、全て再生専用の情報記憶媒体（ＤＶＤ−ＲＯＭ）、追記可能な情報記憶媒体（ＤＶＤ−Ｒ）、書き換え可能な情報記憶媒体（ＤＶＤ−ＲＷまたはＤＶＤ−ＲＡＭ）で共通化されており、再生時のフォーマット上の互換性を確保している。
【００１２】
本発明においては、上記のように記録フォーマット（情報記憶媒体上に記録される情報のデータ構造）が、再生専用の情報記憶媒体（ＤＶＤ−ＲＯＭ）、追記可能な情報記憶媒体（ＤＶＤ−Ｒ）、書き換え可能な情報記憶媒体（ＤＶＤ−ＲＷまたはＤＶＤ−ＲＡＭ）で共通化され、再生時のフォーマット上の互換性を確保している情報記憶媒体の事を“多目的情報記憶媒体（DigitalVersatileDisk）”、（再生専用目的、追記目的、書き換え目的のそれぞれの目的に適応できるの意味）と定義する。
【００１３】
［各種ディスクに対して着目した点］
ここで、各種光ディスクの特徴を述べ、その問題点についても述べる。
【００１４】
（Ａ）  追記可能な情報記憶媒体としてＤＶＤ−Ｒが現存している。
【００１５】
ＤＶＤ−Ｒは再生専用情報記憶媒体であるＤＶＤ−ＲＯＭと全く同じフォーマットでデータが記録され、一連の記録終了位置にはスクランブル・変調前の元データとしてネクストボーダーマーカー（“NextBorderMarker”）、記録後に“００”の繰り返しデータが長期間記録されているボーダーアウトエリア（BorderoutArea）を記録する。
【００１６】
その後、更に新たな情報を追記する場合には、BorderoutAreaの後にボーダーインエリア（BorderinArea）を記録した後、ユーザ情報（ＤＶＤ−ＲＯＭと全く同じフォーマット）を記録し、ユーザ情報記録終了後に再びBorderoutAreaを記録する。
【００１７】
そのような方法を採用した場合には１枚の情報記憶媒体上で頻繁にユーザ情報の追記を行うとBorderout/Borderinのユーザ情報から見た場合の不要な記録領域が増え、１枚の情報記憶媒体上に記録可能なユーザ情報量が低下する（記録効率の低下が発生する）と言う問題が発生する。
【００１８】
このように追記毎にBorderin/Borderoutを記録する必要な理由としては以下のような理由がある。
【００１９】
（Ａ１）  理由：アクセス時のトラッキング安定性を確保するため。
【００２０】
ＤＶＤ−ＲＯＭの規格化と製品化の後でＤＶＤ−Ｒの規格化と製品化が行われた。ＤＶＤ−Ｒディスク（追記形情報記憶媒体）に記録された情報は、既に先に製品化されたＤＶＤ−ＲＯＭディスクに対する再生専用の情報再生装置で再生可能な必要が有った。現在ＤＶＤ−ＲＯＭディスク再生時に行われるトラックずれ検出方法はほとんどがＤＰＤ（位相差検出；DifferentialPhaseDetection）法が用いられている。
【００２１】
未記録状態でのＤＶＤ−Ｒディスクは連続溝（Pregroove）が形成され、未記録場所でのトラックずれ検出法はプッシュプル（Push-Pull）法が利用されている。ＤＶＤ−Ｒディスクでの既記録領域では上記の理由からＤＰＤ法でトラックずれ検出が可能になっている。
【００２２】
従ってＤＶＤ−Ｒディスクでは既記録領域と未記録領域ではトラックずれ検出方法が異なる。この様な状況では例えば光学ヘッド全体を移動させて再生位置を移動させる粗アクセスを行った直後からの既記録領域のデータ再生を試みた時に、粗アクセスの段階で光学ヘッドが誤って未記録領域に移動し、トラッキングを掛けようとするとＤＰＤでのトラックずれ検出が不可能なためトラッキングが掛からないと言う問題が生じる。そこで、Borderin/Borderoutを記録することでトラッキングが安定化するようにしている。
【００２３】
（Ａ２）  理由：追記前の既記録領域データと追記後のデータ間の同期ずれの問題点を解決するため。
【００２４】
ＤＶＤ−Ｒディスク上で既記録領域の直後から別のデータをＤＶＤ−ＲＯＭのフォーマットに則って追記した場合の問題点を説明する。この場合には情報記録再生装置内の記録パルス作成用に用いられる基準クロックの周波数と位相がその直前に存在する既記録領域のデータを記録した時の（過去の）基準クロックの周波数と位相が完全に一致できないため、追記前の既記録領域データと追記後のデータ間の同期ずれが発生する。従ってこのように追記した場合には、追記開始位置を境界としてその前後のデータ間で位相ずれが発生し、ビットシフトエラーが発生しやすくなる。そのため、新たに追記する場合には追記前の既記録領域の後ろにBorderoutAreaを配置し、また追記場所ではユーザデータを記録する前にBorderinAreaを配置する事で追記開始位置を境界としたその前後のユーザデータ間の物理的距離を離し、BorderinArea内で情報再生装置の同期合わせをし直す事で追記開始位置を境界とした前後のユーザデータ位置での同期合わせ精度を確保している。
【００２５】
（Ｂ）  書き換え可能な情報記憶媒体としてＤＶＤ−ＲＷが存在している。
【００２６】
ＤＶＤ−ＲＷでの情報の書き換え方法としてリストリクテッドオーバーライト（RestrictedOverwrite）と言う記録方法が有る。この方法は上記のBorderin/Borderoutを記録せずに、既に記録されたデータの後から次のデータを追記または書き換えが可能な記録方法である。
【００２７】
しかしこのRestrictedOverwriteによる記録方法は既に記録されたデータの一部を破壊して新データの書き換えを行うため、既に記録されたデータの信頼性を著しく低下させてしまう。このようにRestrictedOverwriteによる記録方法を用いた場合に既に記録されたデータの一部を破壊する理由（問題点）は下記の通りとなる。
【００２８】
（Ｂ１）  追記または書き換え情報を再生するために必要な同期合わせ準備領域がＤＶＤ−ＲＯＭには存在しない。
【００２９】
即ち、現状のＤＶＤ−ＲＯＭではＡＶ（Audio&Video）情報の再生やプログラムのインストールを主な主目的としているため、アクセスの高速性への要求や再生開始時間までの時間短縮への要求がそれ程大きく無い。従って現状のＤＶＤ−ＲＯＭに記録されているデータのデータ構造として特定の同期合わせ用の情報として用いられるＶＦＯ（可変周波数オシレータ；VariableFrequencyOscillator）の記録領域が無くユーザデータが連続して記録されたデータ構造を取っている。
【００３０】
情報再生装置がＤＶＤ−ＲＯＭディスクから情報を再生する場合には、適当な位置へ光学ヘッドがアクセスし、既に記録されているユーザデータからの再生信号を用いて同期合わせを行う。従って、この方法ではアクセス直後の再生データに対しては同期合わせが完了し無いのでユーザデータに対する解読はできない。アクセス終了後、しばらくして同期合わせが完了した所からユーザデータの再生・解読が可能となる。このＤＶＤ−ＲＯＭのデータ構造に合わせた状態でセクター単位でのデータの追記または書き換えを行おうとすると、上記（２）で説明したように既記録済みのセクターのデータとその直後に追記または書き換えを行ったセクターデータとの間に同期ずれが発生し、その前後を連続して安定に再生する事が不可能となる。
【００３１】
上記の問題に対して暫定的な解決案として次のような方法を採用している。つまりＤＶＤ−ＲＷでのRestrictedOverwriteモードでは、ＤＶＤ−ＲＯＭで同期合わせ用のＶＦＯが存在しない。その代わりに、同期合わせ用の準備領域（助走期間）として記録開始位置の直前の既記録なセクターデータを一部潰して同期合わせ用の準備領域を作成している。同期合わせ用の準備領域を検出し、記録開始位置を判定し、記録開始位置からの正確な再生を可能としている。
【００３２】
RestrictedOverwriteの方法では、新規に追記または書き換えを行った部分の記録開始位置からデータの再生・解読が可能なように、事前の同期合わせが完了する方法になっている。
【００３３】
しかしこの方法では、新規に追記または書き換えを開始する直前の既記録データが（同期合わせ用の準備領域作成のために）破壊され、その破壊された部分での再生動作の信頼性が大幅に欠如する。
【００３４】
（Ｃ）  再生専用の情報記憶媒体としてＤＶＤ−ＲＯＭが存在している。
【００３５】
（Ｃ１）  ＤＶＤ−ＲＯＭでは、データがセクタ（Sector）単位で記録され、所望ポイントがアクセスされる時には、各Sectorの先頭位置に記録されている識別データ（IdentificationData；本発明実施の形態のDataID1に対応）の情報が再生される。これにより、各Sectorの位置（アドレス）情報を確認できる仕組みになっている。しかし現行のＤＶＤ−ＲＯＭでは１６Sectorsがまとまって１ＥＣＣブロック（ErrorCorrectionCode）を構成しているため、ＥＣＣブロックの先頭に位置しているSectorから順次情報を再生する必要がある。現行では直接ＥＣＣブロックの先頭位置を見いだす方法が無く、順次SectorのIdentificationDataを解読しながら順番にSector毎に追って再生して行くしか無く、ＥＣＣブロックの先頭位置へのアクセスに時間が掛かる。
【００３６】
そこで本発明は、次世代ＤＶＤ−ＲＯＭと次世代ＤＶＤ−Ｒの互換性を確保しつつ次世代ＤＶＤ−Ｒで既記録のユーザデータを破壊せずにセグメント単位の追記を行えるようにすることを目的としている。
【００３７】
すなわち、上記の内容をさらに詳細な言葉で表現すると、セグメント（Segment）単位での情報の追記または書き換え可能な情報記憶媒体との互換性を確保する再生専用の情報記憶媒体を提供する。また、上記追記または書き換え可能な情報記憶媒体に於いてSegment単位での追記または書き換えを行っても既に記録された領域のデータを破壊する事無く記録されたデータに対する高い信頼性を確保するものである。
【００３８】
このような目的を実現できる、情報記憶媒体のデータ構造（記録フォーマット）、もしくは情報記憶媒体への記録方法、再生方法、情報記録再生装置、情報再生装置を提供する。
【００３９】
また、本発明では次世代ＤＶＤ−ＲＯＭ単体としてもＥＣＣブロックの先頭位置へのアクセスの高速化を可能とする情報記憶媒体のデータ構造（記録フォーマット）、それに適した情報記憶媒体への記録方法及び再生方法、または情報記録再生装置及び情報再生装置を提供する事も目的としている。
【００４０】
［各図が示している概要の説明］
次に、各図面に示した内容について説明する。
【００４１】
図１、図２は、本発明の基本的な考え方を説明するために示している。図３には本発明に係る再生専用情報記憶媒体又は情報記憶媒体の再生専用領域内における１セグメント領域（連続データの記録単位）を説明するために示している。
【００４２】
図４、図５では、本発明に係る情報記憶媒体上のデータ配置方法による利点を説明するために示している。そして図６は、本発明に係る記録可能な情報記憶媒体の記録領域（追記可能領域又は書換え可能領域）内における１セグメント領域（連続データの記録単位）を説明するために示している。そして図７は、本発明に係る記録可能な情報記憶媒体の記録領域（追記可能領域又は書換え可能領域）内におけるユーザデータ記録方法の第1の例を示している。図８、図９は、記録可能な情報記憶媒体上の構造と、図７に示したユーザデータ記録方法を説明するために示している。図８、図９においては、ＥＣＣブロックの開始位置と非開始位置とでウォーブル変調パターンを変えた例を示している。しかし、これ以外に記録開始位置決め用目印内に、この目印（或はセグメント）がＥＣＣブロック内の何処に位置するかを示す存在位置を示す情報（例えばセグメントＩＤ情報など）が予め記録されてもよい。
【００４３】
図１０は、図８、図９に示した隙間領域の必要性を説明するために示している。更に図１１、図１２は、本発明に係る記録可能な情報記憶媒体の記録領域（追記可能領域又は書換え可能領域）内におけるユーザデータ記録方法の第２、第３の例を示している。
【００４４】
図１３、図１４、図１５、図１６は、本発明におけるＥＣＣブロックを説明するために示している。図１７、図１８、図１９は、１物理セクタデータ内のシンクフレーム構造を説明するために示している。図２０は、本発明に係る同期コードを説明するために示している。図２０において、同期位置検出用コード１２１のパターンは、“１”と“１”の間隔が、（１）変調規則で発生し得る最大長よりも長くする（図の例では、“０”が“ｋ＋３個”続いている。（２）変調規則で発生し得る最密（最小）長さを含まない（“０”を“２個”続けるパターンが含まれている）。
【００４５】
図２１は、1物理セクタ内の同期コードの配列例を示している。この配置構造は、再生専用領域、記録領域共に同じ配置構造が採用される。図２２、図２３は、同期コード内のシンクフレーム位置識別コードの並び順から、１物理セクタデータ内のシンクフレーム位置を割り出すための方法を説明するために示している。
【００４６】
図２４、図２５、図２６、図２７は、本発明の情報記憶媒体上に記録される共通データ構造の他の例を説明するために示している。
【００４７】
図２８は、情報記録再生装置の記録系の構成を示している。図２９は、情報記録再生装置の再生系の構成を示している。図３０は、スクランブル回路の内部構造を示している。図３１は、デスクランブル回路の内部構造を示している。
【００４８】
図３２、図３３、図３３、図３５は、情報記録再生装置が情報記憶媒体上の所定位置へアクセスするときの制御方法を示した図。図３６は、情報記録再生装置における記録方法又は書換え方法の説明図である。
【００４９】
［要部となる点の説明］
次に、具体的に本実施の形態における要部となる点を、コンパクトに説明する。
【００５０】
まず、（１）のアクセス時のトラッキング安定性を確保するための課題に対しては、再生専用の情報記憶媒体（次世代のＤＶＤ−ＲＯＭ）と、追記可能な情報記憶媒体の内、１回のみの記録可能な情報記憶媒体（次世代のＤＶＤ−Ｒ）と書き換え可能な情報記憶媒体（次世代のＤＶＤ−ＲＷまたは次世代のＤＶＤ−ＲＡＭ）との間で、リードインエリア（LeadinArea）の物理形状及びそのエリアのデータ構造を同様な形態（共通化）とし、このLeadinAreaでのトラックずれ検出法を共通化する。
【００５１】
そうする事で情報記憶媒体の種類に依らずLead-inAreaは安定にトラックずれ補正が行われる（例えばＤＰＤ（DifferentialPhaseDetection）法をトラックずれ検出に用いる）と共に非常に信頼性の高い再生信号とその識別情報が得れる。更にそのLeadinArea内に上記情報記憶媒体の種類を示すメディア識別情報を記録しておく。
【００５２】
それにより安定に情報記憶媒体の種類を検出し、各種情報記憶媒体に合わせてユーザデータ領域での最適なトラックずれ検出方法（例えば再生専用の情報記憶媒体ではＤＰＤ法、追記可能な情報記憶媒体に対してはＤＰＰ（DifferentialPush-Pull）法を用いるなど）を情報再生装置側で切り替えてユーザデータ領域に対して安定にトラッキングを行えるようにする。
【００５３】
また、先の（Ａ１）の追記前の既記録領域データと追記後のデータ間の同期ずれを無くすことの課題と、先の（Ｂ１）の追記または書き換え情報を再生するために必要な同期合わせ準備領域がＤＶＤ−ＲＯＭには存在しないことの対応策に関しては、以下のような対策を行なっている。
【００５４】
Segment単位に構成される“ユーザデータ記録領域”と次の“ユーザデータ記録領域”の間に“中間領域”を配置し、この“中間領域”内に同期合わせに利用されるデータ（ＶＦＯデータ）を記録し、この“中間領域”を、次に記録されている“ユーザデータ記録領域”に対する同期合わせの準備領域として活用する。
【００５５】
その結果、本発明では既に記録されたユーザデータを破壊する事無く、このSegment単位で情報の追記または書き換えが可能となる。またこの構造を追記可能な情報記憶媒体と再生専用の情報記憶媒体間で共用させ、再生専用の情報記憶媒体と全く同じデータ構造を持った追記可能な情報記憶媒体でもSegment間での同期ずれの影響を受けず（（Ａ１）の課題の対策）、既記録状態にある他のSegmentのデータを破壊する事が無い（（Ｂ１）の課題の対策）情報記憶媒体およびそのデータ構造または情報記録方法と情報記録再生装置を提供すると共にそのデータ構造で記録された情報記憶媒体に対する情報再生方法と情報再生装置を提供する所に本発明の大きな特徴が有る。
【００５６】
先の（Ｃ１）の再生専用情報記憶媒体でのＥＣＣブロック先頭位置へのアクセス時間が掛かる問題点に対しては、以下の対策をとる。１ＥＣＣブロック内で複数のセクター（Sector）毎に纏めてSegmentを構成させ、各Segment内にある中間領域３０１内に中間位置を検出する情報（ＰＡ／ＰＳ領域）を持たせる。それにより中間位置３０１の場所を検出可能にすることで、現行の方法よりもＥＣＣブロック先頭位置へのアクセスが容易となる。
【００５７】
ＥＣＣブロックの先頭位置へのアクセス方法として現行の様に順番にSector先頭のIdentificationDataを順次再生するより、Sectorを複数纏めてグルーピングしたSegment単位で検出する方がアクセス制御が容易である。
【００５８】
［実施の形態における有効な点、機能、効果等］
次に本実施の形態で、特に有効なポイントと機能効果を先にまとめて説明する。
【００５９】
［１］：  再生専用情報記憶媒体または記録可能な情報記憶媒体内の再生専用領域（図１のリードイン領域３２０など）において“ユーザデータ記録領域”と“中間領域”が交互に記録され、“中間領域”には少なくとも同期合わせに利用されるデータが記録されている［図１、図２の記載内容に相当する］。
【００６０】
有効な点：  ＥＣＣブロック境界位置検出が容易となり、ＥＣＣブロックを用いたエラー訂正処理を開始するまでの処理が簡素化されるので、制御の高速化とバグの発生頻度の低減、装置の低価格化が可能となる。
【００６１】
即ち、現行のＤＶＤは、１物理セクター１０３内の２６箇所に配置された同期コード１１０の情報を解読して１物理セクター１０３の先頭位置を検索し、物理セクター１０３の先頭位置に記録されたDataＩＤ１の情報を再生して初めてＥＣＣブロック境界位置の検出が可能となっていた（図４の符号ｃの部分に示した方法）。それに比べて本発明の実施の形態（図５の符号fの部分の記載内容に相当する）では“中間領域”の位置を検出すれば、その“中間領域”の後方に配置され、Segment間隔で離散的な（１Segment内に存在するSectorの数だけジャンプした）アドレス情報が記載されたDataＩＤの位置がすぐに分かる。したがって本発明では、ＥＣＣブロック境界位置を容易に検出できるようになっている。
【００６２】
特に本発明では図２４、図２５、図２６、図２７、図４、図５０、図４、図５１に示すように書き換え回数を向上させるために、DataID1部にもスクランブルを掛ける方法を採用している。したがって、DataID1を再生するには、時間が掛かる。つまり本発明のデータ構造では、物理セクターデータ内のDataID１を逐次再生・解読したのでは現行のシステムよりも、データクセスに時間が掛かる。
【００６３】
従って本発明のようなスクランブルの掛け方を採用した場合には、まず最初に中間領域３０１の位置検出を行い、データクセスする方がよりアクセス時間の短縮化に対する効果が大きい。
【００６４】
[１ａ]：  ［１］で述べた“中間領域”のデータサイズを“１シンクフレーム”サイズの整数倍に合わせている（図１の記載内容に相当する）。
【００６５】
図１８に示す様に固定長のシンクフレーム長３０８の先頭位置に同期コード１１０が配置されている。同様に中間領域３０１のサイズは図２の符号ｃの部分に示すようにシンクフレーム長３０８に一致し、かつ同一シンクフレーム長３０８内に同期コード１１０と類似した構造のＰＡ領域３１１が配置されている。
【００６６】
有効な点：（１ａ−１）“ユーザデータ記録領域”内のシンクフレーム間隔を“中間領域”内でも保持しているため、同期コード位置の検出が容易となる。
【００６７】
すなわち、物理セクターデータ５内には固定長のシンクフレーム長３０８の先頭位置に同期コード１１０が配置され、シンクフレーム長３０８に一致したサイズを持つ中間領域３０１の先頭位置にＰＡ領域３１１を持つ。このために情報記憶媒体９内の全領域に亘り（再生専用領域と記録可能領域の如何に関わらず）ＰＡ領域３１１と同期コード１１０の配置間隔が常に一致した構造となっている。
【００６８】
その結果、１度同期コード１１０あるいはＰＡ領域３１１を検出すれば、必ずその後で等間隔に同期コード１１０あるいはＰＡ領域３１１が配置されているので、次に同期コード１１０あるいはＰＡ領域３１１が来るタイミングが予想できる。
【００６９】
そのため同期コード１１０あるいはＰＡ領域３１１の検出が非常に容易となるばかりで無く、同期コード１１０あるいはＰＡ領域３１１の検出精度が大幅に向上する。
【００７０】
（１ａ−２）ウォーブルグルーブの連続性を確保できる。
【００７１】
即ち、追記可能な情報記憶媒体の“ユーザデータ記録領域”には図８、図９に示すようにウォーブルされた連続溝（Pregroove）が形成されている。そして、図７の符号ｄの部分、図１１の符号ｄの部分、図１２の符号ｄの部分に示すように、１シンクフレームの物理的な長さが上記連続溝のウォーブル周期の整数倍になっている。
【００７２】
よって、“中間領域”のデータサイズを“１シンクフレーム”サイズの整数倍に合わせる事で、“中間領域”の物理的長さをウォーブル周期の整数倍に合わせる事が可能である。このことは、“ユーザデータ記録領域”の開始位置と終了位置でのウォーブル位相を常に一致させることが可能であることを意味する。
【００７３】
［１ｂ］：  ［１］で述べた“中間領域”内に相対的なアドレス情報（図１符号ａの部分ＥＣＣ内位置情報３１４/３１５）を記録するようにしている。
【００７４】
有効な点：その結果、各SegmentのＥＣＣブロック内での位置が分かる。再生時には必ずＥＣＣブロックの先頭位置を検索し、そのＥＣＣブロックの先頭位置からＥＣＣブロック単位でエラー訂正処理を行う。従って本発明のように中間領域”内に相対的なアドレス情報を記録し、各SegmentのＥＣＣブロック内での位置が分かる構造にする事でＥＣＣブロック先頭位置が速く見つかり、エラー訂正処理までの処理時間の短縮化が図れる。
【００７５】
［１ｃ］：  “ユーザデータ記録領域”内の同期コード１１０のうち少なくとも一部（ＰＡ領域３１１及びＰＳ領域内の“ＳＹ０”か“ＳＹ５”）が“中間領域”内の同期コード（の少なくとも一部）に利用されている（図２０に示したシンクフレーム位置番号１１５のＳＹ０、ＳＹ４、ＳＹ５に相当する）。
【００７６】
有効な点：  図２０に示すように物理セクターデータ５内の位置に応じて特定の同期コード１１０パターンが配置されている。よって図２９に示すシンクコード（SYNCCode）位置抽出部４５内で図２１、図２２〜図２３に示すように検出される同期コード１１０のつながりを用いて物理セクターデータ５内の位置を検出できる。ＰＡ領域３１１及びＰＳ領域内の“ＳＹ０”であるか“ＳＹ５”であるかを判定することで、同期コード１１０と同じ構造・機能を持たせることができる。これにより、図２９のSYNCCode位置抽出部４５内で、中間領域３０１の位置検出と、ＥＣＣブロック３０４内の中間領域３０１の位置抽出との２種類の位置抽出を行えるので情報記録再生装置または情報再生装置の回路構造を簡素化できると共に図３２、図３３、図３３、図３５で説明するように処理の簡素化か可能となる
［１ｄ］：“ユーザデータ記録領域”内の同期コード１１０と“中間領域”内の同期コード間でパターン内容を変える（図２０、図２の記載内容に相当する）。
【００７７】
有効な点：  “ユーザデータ記録領域”内の同期コード１１０と“中間領域”内の同期コード間でパターン内容を変える事で図２９内SYNCCode位置抽出部４５内で検出情報が物理セクターデータ５内の位置か中間領域３０１位置かを高速に検出が可能となる
［２］：［１］で述べた“中間領域”内に記録されたデータパターンの特徴を利用して“中間領域”の記録場所を検出する。つまり、“中間領域”内に記録された同期コードを検出して“中間領域”の記録場所を検出する。
【００７８】
有効な点：  ＥＣＣブロック境界位置検出が容易となり、ＥＣＣブロックを用いたエラー訂正処理を開始するまでの処理が簡素化されるので、制御の高速化とバグの発生頻度の低減、装置の低価格化が可能となる。
【００７９】
現行のＤＶＤは、１物理セクター１０３内の２６箇所に配置された同期コード１１０の情報を解読して１物理セクター１０３の先頭位置を検索し、物理セクター１０３の先頭位置に記録されたDataＩＤ１の情報を再生して初めてＥＣＣブロック境界位置の検出が可能となっていた（図４の符号ｃの部分に示した方法）。
【００８０】
それに比べて、本発明の実施の形態（図５の符号fの部分の記載内容）では，“中間領域”の位置を検出すれば、その“中間領域”の後方に配置され、Segment間隔で離散的な（１Segment内に存在するSectorの数だけ飛び飛びの）アドレス情報が記載されたDataＩＤの位置がすぐに分かるのでＥＣＣブロック境界位置の検出が容易となる。
【００８１】
［３］：追記可能な情報記憶媒体と再生専用情報記憶媒体もしくは（記録可能な情報記憶媒体内の）再生専用領域内で“ユーザデータ記録領域”と“中間領域”の配置状態またはデータビット数から見たそれぞれの領域の配置間隔を一致させている。
【００８２】
即ち、図３と図６を比較すれば明らかなように“ユーザデータ記録領域”と“中間領域”の配置状態またはデータビット数が追記可能（記録可能）な情報記憶媒体と再生専用情報記憶媒体もしくは（記録可能な情報記憶媒体内の）再生専用領域内でほぼ一致し、ＶＦＯfieldのサイズのみが異なっている。
【００８３】
有効な点：（ａ）再生専用記憶媒体と追記可能な情報記憶媒体との間の互換性が保てる。再生用の処理回路を再生専用の情報再生装置と記録可能な情報記録再生装置との間で兼用化が可能なため装置の低価格化が可能となる。
【００８４】
（ｂ）現行のBorderoutを形成する必要が無く、またRestrictedOverWriteをする事無く、Segment単位での追記または書き換えが可能である。このたため、追記可能または記録可能な情報記憶媒体での細かい単位（Segment単位）での追記、書き換えが行え（無駄なBorderout/inの記録する領域が不要となるため）、情報記憶媒体上への記録時の利用効率が向上する。
【００８５】
［４］：追記可能な情報記憶媒体に対してSegment単位で連続した“ユーザデータ記録領域”と“中間領域”を交互に記録し、Segment単位でユーザデータの追記または書き換えを行い、追記／書き換え時には上記“中間領域”の途中の位置から記録開始を行い、“中間領域”の途中の位置で記録終了処理を行うようにしている（図１の符号ｄの部分および図７符号ｂの部分、図７の符号ｃの部分、図１１符号ｂの部分、図１１の符号ｃの部分、図１２符号ｂの部分、図１２の符号ｃの部分の記載内容に相当）。
【００８６】
有効な点：  連続データ記録単位１１０の先端である記録開始位置と連続データ記録単位１１０の後端である記録終了位置が必ずＶＦＯ領域３１２、３３１〜３３５内に有る。ＶＦＯ領域は、物理セクターデータ５が配置されているユーザデータ記録領域３０３の外に有る。このため、（Ｂ）で記述したようにRestrictedOverwriteによる記録方法を用いた場合でのユーザデータの破壊が起こらず、何度重ね書きしてもユーザデータ記録領域３０３内の情報の高信頼性を保持出来る。
【００８７】
［５］：追記可能な情報記憶媒体に対する１個のデータの記録単位（Segment）の中に離散的に配置された（分散して挿入された）アドレス情報を複数箇所に記録する（図１、図２の記載内容に相当）。
【００８８】
別の言い方をするとアドレス情報を含むDataＩＤ１データを１箇所以上含むSectorが複数集まって１個のデータの記録単位（Segment）を構成する。
【００８９】
有効な点：  （ａ）記録効率が向上する。（ｂ）アクセスの高速性が得られる。
【００９０】
即ち、記録単位（Segment単位）で記録されているデータに対してその記録単位（１Segment）の途中から再生開始した場合でも再生開始直後に再生されるDataＩＤ情報内容の識別により現在再生中の場所を認識できる。このことは、再アクセス処理までの時間が短くなるため、トータル的なアクセス時間の短縮化が可能となることである。
【００９１】
[６]：追記可能な情報記憶媒体に於いて同一面内に追記可能な記録領域と、Lead-in領域など微少な凹凸形状で予め情報が記録されているエンボス領域が存在し、記録領域に追記可能なデータ構造とエンボス領域内に予め記録されているデータのデータ構造が共に“ユーザデータ記録領域”と“中間領域”を交互に配置する構造を持つ（図１、図２の記載内容）。
【００９２】
有効な点：  （ａ）追記可能（１回のみの追記可能／書き換え可能の両方を含む）な情報記憶媒体では，追記可能な記録領域とエンボス領域とで記録されるデータ構造が一致しているので記録領域から情報を再生する再生回路とエンボス領域から情報を再生する再生回路を共通化でき、再生回路の簡素化と低価格化が図れる。（ｂ）  再生専用の情報記憶媒体でも追記可能な情報記憶媒体と同様、Lead-in領域を持つ場合が多い。このことと、［３］のポイントとを組み合わせると、Lead-in領域でのデータ構造を再生専用の情報記憶媒体と追記可能な情報記憶媒体間で全く共通化できる。その効果として、
（ａ１）再生専用な情報記憶媒体と追記可能な情報記憶媒体の両方に対して再生可能な情報再生装置でLead-in領域に対する再生処理回路を両者の情報記憶媒体間で共通化が可能となり、情報再生装置の簡素化・低価格化が図れる。
【００９３】
（ｂ１）再生専用の情報記憶媒体と追記可能な情報記憶媒体間で、Lead-in領域の構造を全く同じに出来る。このため、Lead-in領域内での再生信号処理回路だけで無く、トラックずれ検出方法も共通化できる。再生専用の情報記憶媒体（ＲＯＭディスク）と、追記可能な情報記憶媒体である１回のみ追記可能なＲディスクと、書き換え可能なＲＡＭディスクとの間のメディア識別情報がLead-in領域に記録してある。このため、異なるタイプの情報記憶媒体に対して共通なトラックずれ検出方法と共通な再生信号処理回路でLead-in領域を再生し、容易にしかも信頼性高くメディア識別情報を再生する事が可能になる。
【００９４】
［実施の形態の具体的な説明］
次に、さらに具体的に図面を参照しながら説明する。
【００９５】
図１の符号gの部分は情報記憶媒体９の概観を示している。
【００９６】
追記可能または書き換え可能な情報記憶媒体に於いては、同一面内に追記可能な記録領域と、Lead-in領域３２０など微少な凹凸形状で予め情報が記録されているエンボス領域とが存在する。
【００９７】
Lead-in領域３２０には、情報記憶媒体の種類（例えば、次世代のＤＶＤ−ＲＯＭ、次世代のＤＶＤ−Ｒ、次世代のＤＶＤ−ＲＷ、次世代のＤＶＤ−ＲＡＭ）を示す識別情報が記述されている。
【００９８】
記録領域に追記可能なデータ構造と、エンボス領域内に予め記録されているデータのデータ構造とは、共に“ユーザデータ記録領域”と“中間領域”とを交互に配置する構造を持つ。
【００９９】
３２個の物理セクターデータ５（図１の符号eの部分）が集まって１個のＥＣＣブロック３０４（図１の符号fの部分を構成している。ＥＣＣブロック内の配置を図１３、図１４、図１５、図１６に示す。図１３、図１４、図１５、図１６に関しては後述する。
【０１００】
ここで、４物理セクターデータが１セグメント領域３０５内に配置され、ユーザデータ記録領域３０３を構成する（図１の符号ｄの部分）。
【０１０１】
１セグメント領域３０５内には更に中間領域３０１が存在する。
【０１０２】
中間領域３０１のサイズはシンクフレーム長３０８の整数倍（図２の符号ｃの部分）になっている。中間領域３０１内にはＰＡ（Postamble）領域３１１、ＶＦＯ（VariableFrequencyOscillator）領域３１２、ＰＳ（Pre-Synchronouscode）領域３１３が存在する（図２符号ｂの部分）。
【０１０３】
ＰＡ（Postamble）領域３１１には、後述するＳＹ０またはＳＹ４の情報が記録される（図符号ａの部分）。また、ＰＳ（Pre-Synchronouscode）領域３１３には、ＳＹ０またはＳＹ５と、ＥＣＣ内位置情報３１４又は３１５と、そのエラー検出コード３１６又は３１７が記録されている（図２符号ａの部分）。
【０１０４】
図１、図２は、再生専用情報記憶媒体または記録媒体内の再生専用領域の構造を示している。しかし記録可能または追記可能な情報記憶媒体での記録領域のデータ構造とほぼ一致させている所に本発明の特徴が有る。
【０１０５】
記録領域のデータ構造としては、１セグメント領域３０５単位でデータの追記または記録を可能としている。そして、図２の符号ｄの部分に示すように“中間領域”の途中の位置から記録開始を行い、“中間領域”の途中の位置で記録終了処理を行ようになっている所に特徴がある。
【０１０６】
図１の符号ｄの部分に示したセグメント領域３０５内のデータ構造を分かり易く描き直した図が図３である。
【０１０７】
次世代ＤＶＤ−ＲＯＭでは、１セグメント領域３０５内のシンクフレームのトータルが“１シンクフレーム”サイズ（固定長）になるように、データの１セグメントの前後に“ＶＦＯField”、“PreSetField”、“PostAmbleField”を配置する。そして、図３の“DataField”は連続する４個分のSector情報（１Sectorのデータサイズ：２０４８バイト）が入り、データの“１セグメント”を形成する。データの各セグメントはその直前に“ＶＦＯField”、“PreSetField”を配置し、その直後に“PostAmbleField”を配置する。
【０１０８】
図１、図２及び図３に示した本発明のデータ構造の機能あるいは効果について図４、図５を用いて説明する。
【０１０９】
現行のＤＶＤ-ＲＯＭ及びＤＶＤ-Ｒ／ＲＷのデータ構造では、本発明のように中間領域３０１が無い。現行のＤＶＤ-ＲＯＭ及びＤＶＤ-Ｒ／ＲＷのデータ構造では、１６個の物理セクターデータ５で１ＥＣＣブロックを形成している。データを配置する情報記憶媒体上の位置３２１を、この１ＥＣＣブロック分が占有している。
【０１１０】
また、同期コード１１０の情報内容から１個の物理セクターデータ５内の位置が検出され、物理セクターデータ５内の先頭位置に記録されたＩＤ情報からアドレス位置が解読されることで、データクセス制御が可能になっている。
【０１１１】
現行のＤＶＤ-ＲＯＭ及びＤＶＤ-Ｒ／ＲＷに対するアクセス制御方法を図４の符号ｃの部分に示す。
【０１１２】
（ａ−１）始めに情報記憶媒体９上の予想される位置への粗アクセスが実行され、情報記録再生部４１により、到達した位置でのデータ再生が開始される。次に（ａ−２）同期コード１１０の位置が検出され物理セクターデータの先頭位置が検出される。（ａ−３）物理セクターデータ内のDataID１（またはＩＤ）情報からＥＣＣブロック内位置が割り出される。（ａ−４）次の同期コード１１０位置が検出され、DataID１（またはＩＤ）情報が読込まれた後、（ａ−５）次のＥＣＣブロック先頭位置まで（ａ−４）の操作を繰り返す。
【０１１３】
その結果、（ａ−６）情報記録再生部４１が情報記憶媒体９上の次のＥＣＣブロック先頭位置へ到達し、そこから情報再生とエラー訂正を開始する。このように現行では、情報再生／エラー訂正を開始するＥＣＣブロックの先頭位置に到達するまで逐次物理セクターデータ情報（DataID１）を再生する必要が有る。
【０１１４】
更に本発明のように、図２４〜図３１で説明するようにDataID１（またはＩＤ）情報までスクランブルを掛けた場合、次のことが問題となる。即ち、再生時にスクランブルのかかったDataID１（またはＩＤ）情報を解読する方法であると、ＥＣＣブロックの先頭位置に到達するまで更に時間が掛かる。つまり、より一層アクセス時間が遅くなると言う問題が生じる。
【０１１５】
それに対して、本発明の方法では、複数の物理セクターデータ５をまとめてセグメント領域３０５を構成し、セグメント領域３０５を単位としてアクセス制御を行うようにしている。このために、アクセス処理を容易にすると共にアクセス時間を短縮化する。この点は本発明の大きな特徴でもある。
【０１１６】
本発明における情報記録再生装置または情報再生装置の構造を図２８、図２９に示す。この情報再生装置の詳細については、後述することにする。
【０１１７】
図５の符号ｄの部分、図５の符号eの部分に示した本発明のデータ構造に対するアクセス処理方法を図５の符号fの部分および図３２、図３３、図３４、図３５に示す。
【０１１８】
インターフェース部４２から再生すべき範囲の指示を受信すると（ＳＴ３１）、再生すべき範囲の先頭位置に対応する物理セクターデータ５が含まれるＥＣＣブロックの先頭位置に有る物理セクターデータ内のDataID１の値を算出する（ＳＴ３２）。情報記録再生部４１では粗アクセスした位置から再生を開始する（ＳＴ３３）。
【０１１９】
情報記録再生部４１で、先頭にＰＡ領域３１１をもつ中間領域３０１が混在したデータ（図１符号ｂの部分）を再生し、再生されたデータをそのままSYNCCode位置抽出部４５へ転送する（ＳＴ３４）。SYNCCode位置抽出部４５では、シンクフレーム位置識別用コードの並び順、または直接ＳＹ４のパターンを検出してＰＡ領域３１１の位置を割り出し、その結果により中間領域３０１の場所を検出する（ＳＴ３５）。
【０１２０】
図３２、図３３はこのＰＡ領域３１１の情報のみを用いてアクセスする方法を示し、図３３、図３では更にＰＳ領域３１３内のＥＣＣ内位置情報３１４或は３１５も利用してアクセスする方法を示している。
【０１２１】
図３２、図３３に示すようにＰＡ領域３１１の情報のみを用いてアクセスする場合、この中間領域３０１の直後に配置されたスクランブル状態の物理セクタデータ４５−２８のデータを復調回路５２に与える。復調後のデータはデスクランブル回路５８へ転送される（ＳＴ３６）。
【０１２２】
デスクランブル回路５８内では、物理セクタデータ４５−２８をデスクランブルする。そして先頭位置に存在するDataID１−０と、IED2-0情報（デスクランブル後の情報）をDataID部とIDE抽出部７１へ転送する（ＳＴ３７）。DataID部のエラーチック部７２では、IDE２の情報を利用して検出したDataID1情報にエラーがないかチェックする（ＳＴ３８、ＳＴ３９）。
【０１２３】
エラーがある場合には、ＥＣＣでコーディング回路１６２でエラー訂正処理後のDataID１を抽出する（ＳＴ４０ａ）。そして、制御部４３内で、DataID１を利用して、再生を開始したいアドレスとのずれ量を算出する。そしてこのずれ量が現在のトラック位置が所望のトラック位置から大きくずれているかどうかを判定する（ＳＴ４０ｂ）。ステップＳＴ３９にてエラーがなかった場合は、このステップＳＴ４０ｂに直接移行する。
【０１２４】
上記のずれ量が大きい場合には、再生結果のDataID１の値と、再生開始予定セクタのDataID１の値との差分値を得る。そして、情報記憶媒体９上のトラックずれ量を制御部１４３内で算出し、その結果に基き密アクセスを行なう（ＳＴ４１）。
【０１２５】
つまり、物理セクターデータ４５-２８のDataID１情報を解読してＥＣＣブロック内の位置を検出する。すなわちデスクランブル回路５８でスクランブル状態の物理セクターデータ４５-２８内のDataID１部をデスクランブルしてＥＣＣブロック内の位置を割り出す（ＳＴ３６）。この時、解読されたDataID１の値とＳＴ３２で割り出した到達したい値との間の乖離が激しい場合には（ＳＴ４０ｂ）、再度密アクセスを実行する（ＳＴ４１）。
【０１２６】
ステップＳＴ４０ｂで大きなトラックずれがないことが判明した場合、ステップＳＴ４２に移行する。そして、解読されたDataID１の値のすぐ後に、ステップＳＴ３２で割り出した値（到達したい場所を示す）が、現在位置より何セグメント（Segment）後方にあるかを制御部４３が算出する。この後方位置は、次のＥＣＣブロック３２２ｂの先頭の物理セクターデータ４５−３２に相当する（ＳＴ４２）。次に、制御部４３は、ステップＳＴ３４、３５の方法で、情報記録再生部４１は、通過する情報記憶媒体９内の中間領域を逐次モニターしながら、ステップＳＴ４２で算出したセグメント３０５数だけセグメントが通過することを、確認する（ＳＴ４３）。つまり、情報記録再生部４１は、算出した数だけSegmentを通過させる（またはＳＴ４３）。
【０１２７】
情報記録再生部４１が希望するＥＣＣブロック３２２ｂの先頭位置に到達すると再生データの内、中間領域３０１を除去し、ユーザデータ記録領域３０３内のデータのみを復調回路５２、ＥＣＣデコーディング回路６２、デスクランブル回路５９へ順次転送し、メインデータ（Maindata）抽出部７３にてユーザデータを抽出してインターフェース部４２を経由して外部へ出力する（ＳＴ４４）。
【０１２８】
図３３、図３５は、ＰＳ領域３１３のＥＣＣ内位置情報３１４、３１５も利用して、所望の位置へアクセスする場合の手順を示している。ステップＳＴ３１からステップＳＴ３５までは、図３２、図３３の場合と同じである。
【０１２９】
つまり、図３３、図３５あるいは図５のｆの（３’）に示すように、ＥＣＣブロック内のＰＳ領域３１３のＥＣＣ内位置情報３１４又は３１５も利用してアクセスする場合には、ＰＡ領域３１１の位置を割り出し、その結果により中間領域３０１の場所を検出する（ＳＴ３５）。次に、ＥＣＣブロック内のＰＳ領域３１３の位置情報３１４或は３１５を読み取り、ＥＣＣブロック３０４内の中間領域３０１の現在位置を調べる（ＳＴ５１）。
【０１３０】
次に、該当する中間領域３０１が、ＥＣＣブロック内の先頭位置かどうかを判定する（ＳＴ５２）。この方法としては、後部に位置するＰＳ領域３１３の情報を解読する。ＰＳ領域３１３の先頭情報がＳＹ０で有るかＳＹ５かを判定する（ＳＴ５２）。
【０１３１】
図２に示すように先頭情報がＳＹ５の場合には中間領域３０１がＥＣＣブロックの先頭に存在している事が分かる。また先頭情報がＳＹ０の場合にはその直後のＥＣＣ内位置情報３１５を解読し、該当するSegmentがＥＣＣブロック３０４内のどの位置に有るかを判断する。
【０１３２】
該当する中間領域３０１が、ＥＣＣブロック内の先頭位置でない場合には、ステップＳＴ３４〜ＳＴ５１の処理により、ＥＣＣブロック３０４内の先頭位置に配置された中間領域３０１を再生するまで待つ（ＳＴ５３）。
【０１３３】
実際には、次のＥＣＣブロック３２２ｂの先頭位置に到達するまでに何Segment通過する必要が有るかを割り出し、その割り出したSegment数だけ情報記録再生部４１をトラック方向へ通過させる（ＳＴ５３）。この部分が図３２、図３３と図３３、図３５に示した処理手順の相違点である。
【０１３４】
該当する中間領域３０１が、ＥＣＣブロック内の先頭位置である場合には、ＥＣＣブロック３２２ｂ内の先頭のスクランブル状態の物理セクタデータ４５−３２のデータを復調回路５３に供給し、復調する。復調データは、デスクランブル回路５８へ転送される。この処理は、制御部４３の制御に基づき得られる（ＳＴ５４）。
【０１３５】
以後の処理であるステップＳＴ３７からＳＴ４１までは、図３２、図３３に示した手順と同じである。ステップＳＴ４０ｂの次に実行されるステップＳＴ５５では、ステップＳＴ３３からステップＳＴ４０ｂまでの処理を実行し、ステップＳＴ３２で割り出したＥＣＣブロック３０４の先頭にある物理セクタデータ４５−３２の位置にアクセス位置を到達させる。アクセス位置が所望の位置に到達した後は、ステップＳＴ４４に移行する。
【０１３６】
先に述べた図３の１セグメント領域のデータ配置構造は、再生専用領域における構造であった。これに対して、図６は、追記可能領域又は書き換え可能領域における１セグメント領域のデータ配置構造を示している。
【０１３７】
追記可能な次世代ＤＶＤ−Ｒまたは書き換え可能な次世代ＤＶＤ−ＲＡＭのデータ構造は基本的に図３の構造を踏襲ている。したがって、図３に示した例と同様に、ＶＦＯ領域３１２、ＰＳ領域３１３、ユーザデータ記録領域３０３、ＰＡ領域３１１が１セグメント領域に含まれる。しかし、図６の１セグメント領域では、実施の形態により、ＶＯＦ領域のサイズが異なる。つまり、“ＶＦＯField”のサイズが実施の形態により異なる。
【０１３８】
例えば、図７、図１１には、追記可能領域または書き換え可能領域に対するユーザデータ記録方法の例を示している。ここで、図７に示した実施の形態ではＶＦＯ領域３３１と３３２の間に隙間１１１（MirrorField）が存在する。また、図１１に示した実施の形態では、ＶＦＯ領域３３３の直前に隙間１１１（MirrorField）が存在する。つまり、図１１の実施の形態では、ＰＡ領域３１１直後のＶＦＯ領域サイズが“０”で有ることを意味し、ＰＡ領域３１１の直後に隙間１１１が配置されている。隙間１１１を設けて、スピンドルモータの回転むらによる記録終了位置の変動の影響を除去することができる。
【０１３９】
図８、図９は、図７に示したユーザデータの記録方法と、情報記憶媒体上の物理的構造との関係を示している。図８、図９に示すように、記録領域では、蛇行（ウォーブル）した連続溝（プリグルーブ）がスパイラル状に配置され、その連続溝（プリグルーブ）の上に記録マーク１２７が形成する構造である。
【０１４０】
追記可能な情報記憶媒体または書き換え可能な情報記憶媒体９においては、セグメント領域３０５単位である連続データ記録単位１１０の記録開始位置を示すための記録開始位置決め用目印１４１が連続溝（プリグルーブ）に沿って形成されている。この目印１４１には一般のウォーブルグルーブ領域１４３とは異なるウォーブルパターンが予め形成されている。また、本発明ではＥＣＣブロック内の位置によりパターンが異なっている。すなわちＥＣＣブロックの先頭位置と非先頭位置でのパターンを変え、それによりＥＣＣブロック先頭位置をより高速に検出可能な構造になっている。また記録開始位置決め用目印１４１の隣には予め決められたウォーブル周期分の長さの記録準備領域１４２が存在する。
【０１４１】
連続データ記録単位１１０で記録を開始する場合にはまず記録開始位置決め用目印１４１を検出した後、その目印１４１が終了した後に記録準備領域１４２の長さ分だけウォーブル検出信号をカウントした後に記録を開始する。
【０１４２】
図８、図９に示すように追記可能な次世代ＤＶＤ−Ｒまたは書き換え可能な次世代ＤＶＤ−ＲＡＭでは、この隙間１１１の直後からセグメント単位の追記が可能になっている。この隙間１１１により既記録データの位相と、後から行う追記処理により記録される後続の記録データとの間の位相ずれを分断し、前後のデータ処理間の位相ずれの影響を除去する働きをする。その結果、次世代ＤＶＤ−Ｒでは“ボーダーイン”、“ボーダーアウト”を記録する事無くセグメント単位での追記が可能となる。
【０１４３】
上記の方法で連続データ記録単位１１０の記録開始位置は一意的に決まっている。しかし図１０に示すように情報記憶媒体９を回転させるスピンドルモーターの回転ムラにより連続データ記録単位１１０ａの実際の長さが変化し、隙間１１１を越えてデータの重なり部分１１６が発生する場合がある。このようにデータの重なり部分１１６（図１０の（ｂ））が発生しても、本実施の形態では、ユーザデータ領域３０３のデータを破壊しないようになっている。これは、図６に示すように、セグメント領域３０５の先頭に必ずＶＦＯ領域３１２を配置する（重なり部分１１６をＶＦＯ領域３１２内に必ず納まるように設定する）構造であるからである。この点は本実施の形態の大きな特徴である。
【０１４４】
図１０の（ｂ）のように最悪時のデータの重なり部分１１６を容認させる本発明の他の実施の形態を図１２に示した。
【０１４５】
図１２に示すように、予めＶＦＯ領域３３４、３３５のサイズを大きく設定して、スピンドルモーターの回転ムラが無い状態でもＶＦＯ重なり領域３３８が存在するように配置する。図１２のｂは、既に記録されているデータと、新たに追記或は書き換えされるデータとの時間軸方向の配置関係を示している。このように新たにデータを追記或は書き換えするとにに、ＶＦＯ領域の一部を重ね書きしている。これにより、隙間１１１を持つことなく再生専用領域のデータ構造と、図に示したデータ構造とを一致させることができる。このことは、再生時には、再生専用領域と追記或は書き換え可能領域のデータを、全く同じ再生回路で再生できることを意味する。
【０１４６】
図３６には、追記形または書き換え形情報記憶媒体９に対するSegment単位での追記または書き換え方法を示した。
【０１４７】
本実施の形態における追記形または書き換え形情報記憶媒体９はＣＬＶ（ConstantLinearVerosity）方式を採用している。このため、情報記憶媒体９の半径方向で、セグメント（Segment）単位での書き出し位置の角度が異なる。
【０１４８】
従って記録場所の指示を受ける（ＳＴ１１）と、図８、図９に示した記録開始位置決め用目印１４１の回転方向での角度位置を予測する（ＳＴ１２）必要が有る。またインターフェース部４２から入力される情報には、図６に示すＰＳ領域３１３とＰＡ領域３１１の情報は含まれて無いので、SYNCCode選択部４７内でそのデータを作成する（ＳＴ１４）。
【０１４９】
粗アクセス後に情報記憶媒体９上の予定の角度位置に記録開始位置決め用目印１４１を検出したかどうかを判定し（ＳＴ１６）、この結果に基き予定のトラックに、再生装置の情報再生位置が到達したかを判断する。
【０１５０】
図９符号ａの部分、図９符号ｂの部分に示すようにＥＣＣブロック内の位置によりプリブルーブのウォーブルパターンが異なるので、このウォーブルパターンの違いを検出してＥＣＣブロックの先頭位置を判別して（ＳＴ２１）、記録処理の準備を行う。情報記録再生部４１が情報記憶媒体９上の記録開始位置決め用目印１４１の後端部を通過後、記録準備領域１４２内でのウォーブル数をカウントすると共に記録処理の準備を行う（ＳＴ１７）。ここで、所定のカウント数だけウォーブルを通過したら、その直後からSegment単位毎に記録を行う（ＳＴ１８）。
【０１５１】
記録が終了したかどうかを判定し（ＳＴ１９）、終了していない場合にはステップＳＴ１６に戻る。終了している場合にはステップＳＴ２０へ移行する。
【０１５２】
図２０に示すように、本実施形態では、物理セクターデータ５（図１３、図１４、図１５参照）内の同期コード１１０とは異なる同期パターンにより、中間領域３０１内のＰＡ領域３１１とＰＳ領域３１３のパターンを設定する所に大きな特徴が有る。図２０の符号（ｃ）に示すようにシンクフレーム位置番号１１５としてＳＹ０〜ＳＹ３を物理セクターデータ５内の同期コード１１０として使う。
【０１５３】
図２の符号ａに示すようにＰＡ領域３１１のパターンとしてはＳＹ０またはＳＹ４を採用する。またＰＳ領域３１３内の先頭のパターンとしては該当SegmentがＥＣＣブロック内の先頭位置に有るときにはＳＹ５のパターンを利用し、非先頭位置の場合にはＳＹ０のパターンを採用する。
【０１５４】
また本実施の形態では、図２１に示すように、
図２１符号ｂの部分に示したＳＹ０〜ＳＹ３の具体的なパターン内容は図２０に示した内容に一致する。図２１に示した同期コード配置方法は１物理セクターデータ５内に１箇所のみＳＹ０を配置し、しかも同一物理セクターデータ５内の先頭位置に配置させた所に特徴が有る。それによりＳＹ０を検出するだけで物理セクターデータ５内の先頭位置が容易に分かるという効果がある。また、同期パターンの数を従来のＤＶＤ−ＲＯＭ/Ｒ/ＲＷ/ＲＡＭに比べてＳＹ０〜ＳＹ３と４種類に減らし、同期コードのパターンを利用した物理セクターデータ５内の位置検出処理を簡素化させた所に次の特徴が有る。
【０１５５】
また図２１に示すように同期コード１１０と変調後のシンクフレームデータ１０６を合わせたデータサイズであるシンクフレーム長３０８が至る所一定で１１１６チャネルビットになっている。この固定長のシンクフレーム長３０８と中間領域３０１のデータサイズを一致させている。
【０１５６】
本実施の形態では、図２２、図２３に示すように、図２１に示すデータ構造から任意に抽出した連続する３個の同期コード１１０の組み合わせは、同一物理セクターデータ内の位置により全て異なっている。この特徴を利用してＰＡ領域３１１を含めた各同期コード１１０配置順を用いて同一物理セクターデータ５内の位置のみならず、中間領域３０１の位置まで検出する事が可能となる。
【０１５７】
図２２、図２３に位置検出方法の一例を示す。例えば図２３の符号ｄの部分に示すように“ＳＹ１→ＳＹ３→ＳＹ１”、の順の配置が検出された場合には図２１符号ｂの部分の並び順からＳＹ１の直後の変調後のシンクフレームデータは１０６-６である事が分かる。また図２３の符号fの部分に示すように“ＳＹ０→ＳＹ０→ＳＹ１”、とＳＹ０が２回連続して続く場合には図２符号ａの部分または図２０の情報から最初のＳＹＯは中間領域３０１に属している事が分かる。また“ＳＹ４→ＳＹ０→ＳＹ１”、と物理セクターデータ５内では存在し得ないパターンＳＹ４が検出された場合には３パターンのつながりを調べるまでも無く、ＳＹ４は中間領域３０１内のＰＡ領域３１１のパターンを示していると即座に判定できる。
【０１５８】
次に、図１３、図１４、図１５乃至図３１を参照して、ＥＣＣブロック（図１３、図１４、図１５、図１６）、１物理セクタデータ内のシンクフレーム構造（図１７、図１８、図１９）、同期コード（図２０）、1物理セクタ内の同期コードの配列例（図２１）、同期コード内のシンクフレーム位置識別コードの並び順から、１物理セクタデータ内のシンクフレーム位置を割り出すための方法（図２２、図２３）に付いて説明する。
【０１５９】
また、情報記憶媒体上に記録される共通データ構造の他の例（図２４、図２５、図２６、図２７）、情報記録再生装置の記録系の構成（図２８）、情報記録再生装置の再生系の構成（図２９）、スクランブル回路の内部構造（図３０）、デスクランブル回路の内部構造（図３１）を説明する。
【０１６０】
図１３には、図１の符号ｄに示した情報記憶媒体９の物理セクタデータ５−０，５−１、…の配列を示している（図１３の符号ｆ）。１つの物理セクタデータは、複数の行としてのデータ０−０−０、０−０−１、０−０−２、…と、各行に付加されているパリティーとしての内符号ＰＩ０−０−０、ＰＩ０−０−１、ＰＩ０−０−２、…と、１２行目の次に1行分付加された外符号ＰＯ  ０−０を含む。
【０１６１】
他の物理セクタデータも同様なデータ構成である。ここで、上記の各物理セクタは、論理セクタ情報１０３−０、１０３−１、１０３−３、…に対応するものとして定義されている（図１３の符号ｂとｅとｆの関係参照）。さらに論理セクタ情報は、１つのビデオパック或はオーディオパックに対応するものとして定義されている（図１３の符号ａ，ｂ，ｅの関係を参照）。符号ａの部分は、ビデオパック１０１ａ、オーディオパック１０２ａ、…などのパック列を示しており、符号ｂの部分は、各パックに対応する論理セクタ情報１０３−０，１０３ａ−１，１０３−２…を示している。
【０１６２】
図１４には、符号ｅのデータの内容を更に詳しく示している。データ０−０−０は、先頭行に対応するものであり、データ０−０−１は、その次の行に対応する（図１４の符号ｃ、ｄ、ｅ参照、図１４の符号ａ，ｂは、図１３の符号ａ、ｂに対応する）。
【０１６３】
符号ｃの部分には、１つの論理セクタ情報１０３−０がスクランブルされ、スクランブル後の論理セクタ情報が１２行分に分割され、それぞれの行（この例では１２行）にはＰＩ情報が付加さた様子を示している。さらに先頭の行には、Ｄａｔａ  ＩＤ,ＩＥＤ,ＣＰＲ＿ＭＡＩが付加されている。また、この論理セクタの最後の行（第１３行目）は、ＰＯ情報となっている。
【０１６４】
図１５、１６は、物理セクタデータと、ＥＣＣブロックとの関係を示している。ＥＣＣブロックは、情報記憶媒体９にデータをするときにエラー訂正符号を付加する単位、さらには、情報記憶媒体９からデータを読み出してエラー訂正を行なうときに取り扱う単位である。
【０１６５】
図１５の符号ｅ（図１３の符号ｆ、e、及び図１の符号ｅに対応する）の部分に示したデータ列が、ＥＣＣブロックとして構築される様子を示している。
【０１６６】
各物理セクタデータは、１つおきに選択され、第１の小ＥＣＣブロック７−０と、第２の小ＥＣＣブロック７−１とに振り分けられる（図１６参照）。
【０１６７】
この例であると、１つの物理セクタデータは、１３行からなる。このうち１行は、ＰＯ情報の一部である。ＥＣＣブロックの各行をデータ０−０−０、０−０−１、０−０−２、…として記述している。１つの小ＥＣＣブロックは、３１個の物理セクタデータからなる。６２個の物理セクタデータ（２つの小ＥＣＣブロック）が、例えば、偶数セクタデータと奇数セクタデータに分けられて、それぞれの偶数セクタデータによるブロックと、奇数セクタデータによるブロックのそれぞれ対してＰＯ情報が作成されている。ＰＯ情報は、複数の物理セクタで構築された１ＥＣＣブロック単位で作成され、各物理セクタに１行づつ分散されている。つまり、小ＥＣＣブロック単位で３１行のＰＯ情報が作成されるが、このＰＯ情報は、３１個のデータブロックに１行づつ分散されている。１個のデータブロックは、１２行のデータを含む。
【０１６８】
図１７、図１８、図１９は、１物理セクタデータ内のシンクフレームの構造を説明する図である。
【０１６９】
図１７の符号ｃの部分に示すセクタブロック（１３行分のデータ（ＰＯ情報の１行分を含む）に相当）は、シンクフレームデータ１０５−０、１０５−１、…に分割される（全部で２６（＝１３×２）個）。そしてシンクフレームデータの間には、後述する同期コードが付加される。つまり各シンクフレームデータの先頭には、同期コードが付加される。
【０１７０】
つまり図１８の符号ｄ，符号ｅの部分で示すようにシンクフレームデータの間に同期コードが挿入される。同期コードは、図１９の符号ｆで示す部分のように、例えば、可変コード領域１１２、固定コード領域１１１、可変コード領域１１３からなり、各領域は、図１９の符号ｇの部分で示すような内容となっている。
【０１７１】
特徴的な構成を説明すると以下のようになる。
【０１７２】
映像情報は、図１７に示すように、２０４８バイト単位でのビデオパック１０１、オーディオパック１０２の形（符号ａの部分）で情報記憶媒体９上に記録されている。この２０４８バイト記録単位は論理セクタ情報１０３（符号ｂの部分）として扱われる。
【０１７３】
現行のＤＶＤ規格ではこのデータに対してＤａｔａ  ＩＤ  １-０、ＩＥＤ  ２-０、ＣＰＲ＿ＭＡＩ  ８-０を付加し、図１６に示すＥＣＣ構造に対応したＰＩ（Parity of Inner-code）情報とＰＯ（Parity of Outer-code）情報を付加したデータを２６等分してシンク・フレーム・データ１０５-０〜１０５-２５を形成する（図１７の符号ｄの部分）。この場合、ＰＯ情報も２分される。図１７の符号ｃの部分では、ＰＯ情報が２分されてＰＯ  ０−０−０と、ＰＯ  ０−０−１として示されている。
【０１７４】
各シンク・フレーム・データ１０５をそれぞれ変調し、図１９の符号ｅに示すように、変調後のシンクフレームデータ１０６の間に同期コード１１０を挿入する。変調方法は一般に（ｄ,ｋ；ｍ,ｎ）で表し、この記号の意味は“ｍビット”の元データを“ｎチャネルビット”に変換し、変調後のチャネルビットパターンは“０”が連続する範囲が最小で“ｄ個”、最大で“ｋ個”になることである。
【０１７５】
本実施の形態としては例えば“特開２０００−３３２６１３”に示す変調方式を採用する場合を示す。前記変調方式では
ｄ ＝ １、ｋ ＝ ９、ｍ ＝ ４、ｎ ＝ ６
となる。
【０１７６】
同期コード１１０内を固定コード領域１１１と可変コード領域１１２，１１３に分割し、可変コード領域１１２、１１３の中を更に“変調時の変換テーブル選択コード１２２”の記録場所と“シンクフレーム位置識別用コード１２３”の記録場所と“ＤＣ抑圧用極性反転パターン１２４”の記録場所に細分割した構造にする（一部記録場所の合体・兼用も含む）所に大きな特徴が有る（図１９の符号ｇ参照）。
【０１７７】
ここで言う変調とは、上記の変調規則に従って、入力データを変調データに変換することである。この場合、この変換処理は変換テーブルに記載されている多数の変調データの中から、入力データに対応する変調データを選択する手法がとられている。ここで変換テーブルは複数が用意されている。したがって、変調時のどのテーブルを用いて変換した変調データであるのかを示す情報が必要であり、この情報が、“変調時の変換テーブル選択コード１２２”であり、これは、同期コードの直前の変調データの次に来る変調データを生成した変換テーブルを表している。
【０１７８】
“シンクフレーム位置識別用コード１２３”は、シンクフレームが物理セクタ内のどの位置のフレームであるかを識別させるためのコードである。フレームを識別するには、前後の複数のシンクフレーム位置識別用コードの配列パターンにより識別することができる。
【０１７９】
同期位置検出用コード１２１の具体的内容の例は、図２０に示している。
【０１８０】
同期コード１１０の位置検出を容易にするため変調後のシンクフレームデータ１０６内には存在し得ないコードを同期位置検出用コード１２１内に配置している。変調後のシンクフレームデータ１０６は（ｄ,ｋ；ｍ,ｎ）変調規則に従って変調されているので、変調後のデータ内には“０”が連続して“ｋ＋１個”続く事はあり得ない。従って同期位置検出用コード１２１内のパターンとして“０”が連続して“ｋ＋１個以上”続くパターンを配置する事が望ましい。
【０１８１】
しかし同期位置検出用コード１２１内のパターンとして“０”が連続して“ｋ＋１個”続くパターンを配置した場合には、変調後のシンクフレームデータ１０６の再生時に、１個のビットシフトエラーが発生すると同期位置検出用コード１２１と誤検知する危険性がある。したがって同期位置検出用コード１２１内のパターンとして“０”が連続して“ｋ＋２個”続くパターンを配置する事が望ましい。しかし“０”の連続するパターンが余り長く続くとＰＬＬ回路１７４での位相ずれが発生し易くなる。
【０１８２】
現状ＤＶＤでは、“０”が“ｋ＋３個続く”パターンを利用している（現行ＤＶＤの変調規則は（２,１０；８,１６））。従って現行ＤＶＤよりもビットシフトエラーの発生を抑えて同期コード１１０位置検出および情報再生の信頼性を確保するには本実施の形態において“０”が続く長さを“ｋ＋３”以下にする必要があり、望ましくは“ｋ＋２”にした方が良い。
【０１８３】
“特願平１０−２７５３５８号”（特開２００−１０５９８１）の図８とその説明文に示すように変調後のビットパターンによりＤＳＶ（Digital Sum Value）値が変化する。ＤＳＶ値が０から大きくずれた場合には最適なビットパターン位置で“０”から“１”にビットを変化させることでＤＳＶ値を０に近付ける事が出来る。
【０１８４】
したがって、ＤＳＶ値を０に近付けるための特定パターンを持ったＤＣ抑圧用極性反転パターン１２４を同期コード１１０内に持たせている。
【０１８５】
また“特開２０００−３３２６１３”に示す変調方式を採用する場合以下のことを考慮する必要がある。即ち、復調対象の６チャネルビットの変調後データの直後に存在する「６チャネルビット変調後データを変調する時に採用した変換テーブルの選択情報」も利用して、復調対象である６チャネルビットの復調を行う必要がある。
【０１８６】
したがって、同期コード１１０の直前に配置された変調後のシンクフレームデータ１０６の最後の６チャネルビットの次に来るべき６チャネルビットの変換テーブルの選択情報を、同期コード１１０内の先頭の「変調時の変換テーブル選択コード１２２」内に記録している。つまり、同期コード１１０内には、変調時の変換テーブル選択コード１２２が存在する。
【０１８７】
この変調時の変換テーブル選択コード１２２は、直前のシンクフレームデータ１０６の最後の６チャンネルビットデータの次に来るべき６チャンネルビットデータのための、変換テーブル選択情報である。この変換テーブル情報を参照することにより、次のデータを復調するときに、使用すべき変換テーブルを決めることができる。
【０１８８】
次に同期コード１１０の具体的例を説明する。
【０１８９】
図２０は、同期コード１１０の具体例である。この同期コード１１０は、可変コード領域１１２と固定コード領域１１１を有する。可変コード領域１１２には、図１９で説明した、変調時の変換テーブル選択コード１２２、シンクフレーム位置識別用コード１２３、ＤＣ抑圧用極性反転パターンを一体化したデータ構造を配置する。
【０１９０】
例えばシンクフレーム位置識別用の番号として０−６が用意されている。番号０―６は、シンクＹＳ０―ＹＳ５に対応する。さらに変調時の変換テーブルテーブル選択コードを表すために、変換テーブル番号１１６が用意されている。変換テーブル番号＝１の場合パターンと、変換テーブル番号＝０の場合パターンしては、それぞれの場合に、大別してＤＣ抑圧のためのパターンＡとＢが用意されている。
【０１９１】
例えば、この例であると、シンクフレームは、８チャンネルビットが割り当てられ、シンクフレームＳＹ０を示す場合には、“１０００００００”、又は“１０００００００”、又は“０００１００００”、又は、“０００１００１０”が同期コードとして存在することになる。また、“１０００００００”のときは変換テーブル番号＝０が使用され、“０００１００００”、又は、“０００１００１０”のときは変換テーブル番号＝１が使用されていることを意味する。この同期パターンはＤＳＶに応じて選択されて使用される。
【０１９２】
同期位置検出用コード１２１は、１６チャンネルビットが割り当てられ、例えば“１００００００００００００１００”である。
【０１９３】
ここで、本実施の形態では、図１で説明した中間領域３０１で使用する同期パターンの選択形態に特徴がある。
【０１９４】
即ち、本実施形態では、物理セクタデータ５内の同期コード１１０とは異なる同期パターンが、中間領域３０１内のＰＡ領域３１１とＰＳ領域３１３の同期パターンとして設定される所に大きな特徴が有る。図２０の符号（ｃ）に示すようにシンクフレーム位置番号１１５としてＳＹ０〜ＳＹ３を物理セクタデータ５内の同期コード１１０として使うようにしている。
【０１９５】
そして、図１の符号符号ａの部分に示すようにＰＡ領域３１１のパターンとしてはＳＹ０またはＳＹ４を採用する。またＰＳ領域３１３内の先頭のパターンとしては該当SegmentがＥＣＣブロック内の先頭位置に有るときにはＳＹ５のパターンを利用し、非先頭位置の場合にはＳＹ０のパターンを採用するものである。
【０１９６】
図２１には、１物理セクタデータ内の同期コードの配置例を示している。
【０１９７】
同期コードは、先に説明したように８チャンネルビットの同期パターンと、１６チャンネルビットの同期位置検出用コード１２１の合計で２４チャンネルビットである。変調後のシンクフレームデータは、１行分が１０９２チャンネルビットである。図２１の符号ｂは、同図の符号ａのデータ列（図１９の符号ｅのデータ列と同じ）における、返答後のフレームデータ１０６−０、１０６−１、…をマトリックス状に並べ変えて、同期コード位置を見やすくしたものである。同期コードと変調後のシンクフレームデータのチャンネルビット長をシンクフレーム長（固定長１１６チャンネルビット）３０８としている（この形態は図２にも示している）。
【０１９８】
図２１の符号ｂの部分に示したＳＹ０〜ＳＹ３の具体的なパターン内容は、図２０に示したパターンから選択されている。図２１に示した同期コード配置方法は１物理セクターデータ５内に１箇所のみＳＹ０を配置が配置され、しかも同一物理セクターデータ５内の先頭位置に配置させた所に特徴がある。
【０１９９】
これによりＳＹ０を検出するだけで物理セクタデータ５内の先頭位置が容易に分かるという効果がある。また、同期パターンの数を、現行のＤＶＤ−ＲＯＭ/Ｒ/ＲＷ/ＲＡＭに比べてＳＹ０〜ＳＹ３と４種類に減らし、同期コードのパターンを利用して物理セクタデータ５内の位置検出処理を行なえるようにしている。このため位置検出処理が、簡素化させた所に特徴がある。
【０２００】
また図２１に示すように同期コード１１０と変調後のシンクフレームデータ１０６を合わせたデータサイズであるシンクフレーム長３０８が至る所一定で１１１６チャネルビットになっている。かつ固定長のシンクフレーム長３０８と中間領域３０１のデータサイズを一致させているところにも特徴がある。
【０２０１】
次に、図２２、図２３を参照して、同期コードを検出し、現在再生中のデータが物理物理セクタ内のどの位置のものであるかを判定する方法について説明する。
【０２０２】
図２２の符号ｂに示すように、情報記録媒体から情報記録再生部４１により再生された変調後のシンクフレームデータは、同期コード位置抽出部４５に入力されて、同期コード位置検出の対象とされる。同期位置抽出部４５では、例えばパターンマッチング法により、同期位置検出用コード１２１（図２０の固定コード領域のコード）の位置を検出する。
【０２０３】
これにより、同期コード位置が検出され、同期コードを抽出することができる。検出された同期コード１１０の情報は、制御部４３を介して、図２２、図２３に示すメモリ部１３７（符号ｃの部分）に順次保持される。同期コード１１０の位置がわかれば、変調後のシンクフレームデータの位置もわかるので、シンクフレームデータは、図２２に示すようにシフトレジスタ回路１７０（符号ａの部分）に順次格納される。
【０２０４】
同期コードの配置順を検査することにより、変調後のしくフレームデータが図２１のマトリックス系のどのポジションであるかを判別することができる。これは、図２１に示すようなパターン（ＳＹ０→ＳＹ１→ＳＹ１→ＳＹ１→ＳＹ２→ＳＹ１→ＳＹ１→ＳＹ３→ＳＹ１→ＳＹ２→ＳＹ２→ＳＹ１→ＳＹ３→ＳＹ２→ＳＹ１→ＳＹ２→ＳＹ３→ＳＹ３→ＳＹ３→ＳＹ２→ＳＹ２→ＳＹ２→ＳＹ３→ＳＹ２→ＳＹ３→ＳＹ１）で同期コードを配置したからである。
【０２０５】
図２１において任意に抽出した連続する３個の同期コード１１０の組み合わせは、同一物理セクタデータ内の位置により全て異なっている。この特徴を利用してＰＡ領域３１１を含め、各同期コード１１０配置順を用いて同一物理セクターデータ５内でのデータ位置のみならず、中間領域３０１内でのデータ位置まで検出する事が可能となる。
【０２０６】
図２２に位置検出方法の一例を示す。例えば図２１の符号ｄに示すように“ＳＹ１→ＳＹ３→ＳＹ１”の配置順が検出された場合には図２１の符号ｂに示すような並び順から、ＳＹ１の直後の変調後のシンクフレームデータは１０６-６である事が分かる。
【０２０７】
また、図２１の符号ｆに示すように“ＳＹ０→ＳＹ０→ＳＹ１”、とＳＹ０が２回連続して続く場合には図１の符号ａで示したような取り決め、または図２０の情報から最初のＳＹＯは中間領域３０１に属している事が分かる。また“ＳＹ４→ＳＹ０→ＳＹ１”、と物理セクターデータ５内では存在し得ないパターンＳＹ４が検出された場合には３パターンのつながりを調べるまでも無く、ＳＹ４は中間領域３０１内のＰＡ領域３１１のパターンを示していると即座に判定できる。
【０２０８】
また、図２１の符号ｅに示すように“ＳＹ０→ＳＹ１→ＳＹ１” の配置順が検出された場合には図２１の符号ｂに示すような並び順から、ＳＹ０の直後の変調後のシンクフレームデータは１０６−１である事が分かる。
【０２０９】
次に、変調前のセクタデータがスクランブルされる場合の他の例を示す。
【０２１０】
図１３、図１４で示したように物理セクタデータはスクランブルされているとして説明した。そして図１４に示した例では、物理セクタデータの先頭のデータＩＤ、ＩＤＥ、ＣＰＲ＿ＭＡＩはスクランブルされていないものとして示した。
【０２１１】
しかし図２３に示すように、データＩＤ  １、ＩＥＤ  ２、特定データ３，４、メインデータ（ＥＤＣを含む）の全てをスクランブル処理してもよい。
【０２１２】
図２４の例は、スクランブルを実行するための初期データとして、特定データ（例えばデータタイプ３、プリセットデータ４）を利用している。図２３の符号ａの部分は、まずメインデータ（セクタデータ）から特定データを抽出した様子を概念的に示している。次に、図２４の符号ｂの部分では、抽出した特定データをそのまま、スクランブル回路の初期値（或はトリガ）として用い、スクランブル処理を実行し、上記メインデータ（セクタデータ）が全てスクランブルされた様子を示している。そして図２４の符号ｃの部分は、スクランブル後のデータが所定の変調規則に従い変調され、次に、前述した同期コードが付加された様子を示している。このような処理が行われたデータが書き換え可能な情報記憶媒体２１に書き込れる。
【０２１３】
図２５は、上記の特定データがＣＰＲ＿ＭＡＩ（コピーライト管理情報）  ａ８に置き換わった例である。ＤＶＤ＿ＲＯＭでは、特定データの部分に、このＣＰＲ＿ＭＡＩが採用されているからである。他の処理は、図２４の例と同じである。
【０２１４】
図２６は、図２４の記録処理に対応する再生処理における手順を説明するために示している。書き換え可能な情報記憶媒体２１から再生されたデータは、同期コード１９ａ，１９ｂ，１９ｃ，…と復調前のデータ１５ａ，１５ｂ，１５ｃ，…とからなる。そして先に説明したように同期コードと復調前のデータとは分離されて、復調前のデータが集合される。集合された復調前のデータは、所定の復調規則に従い復調され、スクランブルされたままのデータ１７として集合される（図２５の符号ｅで示す部分）。このデータ１７には、図２３で説明したように、特定データがスクランブルされて含まれている。このスクランブルされた特定データは、予め取り決めた所定の位置から抽出される。そして、デスクランブル部は、スクランブルされたままの特定データを用いて、スクランブルされたままのデータ１７をデスクランブルする（図２６の符号ｆで示す部分）。デスクランブル処理により、図２４の符号ａに示したデータと同じデータ（元のデータが復元）される。
【０２１５】
図２７は、図２５の記録処理に対応する再生処理における手順を説明するために示している。この例では、上記の特定データがＣＰＲ＿ＭＡＩ（コピーライト管理情報）  ａ８に置き換わっただけである。ＤＶＤ＿ＲＯＭでは、特定データの部分に、このＣＰＲ＿ＭＡＩが採用されているからである。他の処理は、図２６の例と同じである。
【０２１６】
図２８は、情報記録再生装置において、特に記録系に関する部分のブロックを示している。書替可能情報記憶媒体または再生専用情報記憶媒体に対する情報記録系の構成を説明するブロック図である。
【０２１７】
記録用メインデータ（ソースデータまたはユーザデータ）は、インターフェース部４２を介して、所定情報付加部６８に送られる。この所定情報付加部６８において、ソースデータはセクタ単位に細分化され、細分化されたソースデータが図２４または図２５のメインデータ６部分に配列格納される。
【０２１８】
記録に用いる媒体が書替可能情報媒体２１である場合は、この所定情報付加部６８において、メインデータ６部分の前に、そのセクタのデータＩＤ・１、ＩＥＤ２、データタイプ３、プリセットデータ４および予約エリア５が付加され、メインデータ６部分の後にＥＤＣ７が付加される。このとき付加されるデータＩＤ・１はデータＩＤ発生部６５から得られ、プリセットデータ４はプリセットデータ発生部６６から得られる。プリセットデータ発生部６６は「乱数発生機能」を持っており、時変のランダムデータをプリセットデータ４として常に発生できるようになっている。なお、プリセットデータ発生部６６は、プリセットデータの下位ｎビットも別途発生できるようになっており、発生された下位ｎビット同期コード選択キーの一部として同期コード選択部４６に送られる。
【０２１９】
一方、記録に用いる媒体が再生専用情報媒体２２である場合は、所定情報付加部６８において、メインデータ６部分の前に、そのセクタのデータＩＤ・１、ＩＥＤ２および著作権管理情報８（８ａと８ｂ）が付加され、メインデータ６部分の後にＥＤＣ７が付加される。このとき付加されるデータＩＤ・１はデータＩＤ発生部６５から得られ、著作権管理情報８（８ａと８ｂ）は著作権管理情報のデータ発生部６７から得られる。なお、著作権管理情報のデータ発生部６７は、著作権管理情報の下位ｎビットも別途発生できるようになっており、発生された下位ｎビットは同期コード選択キーの一部として同期コード選択部４６に送られる。
【０２２０】
なお、この実施の形態では、下位ｎビットの“ｎ”は、１〜８ビットの範囲から選択される。
【０２２１】
所定情報付加部６８において生成された図２４のようなデータ構造のセクタデータ、データ配置部分交換部（或はデータ抽出部）６３に送られる。データ配置部分交換部６３では、送られてきたセクタデータの特定データの抽出する。
【０２２２】
抽出された特定データと全体のセクタデータは、スクランブル回路５７に送られる。スクランブル回路５７は、セクタ先頭からセクタ末尾までのセクタ全体に対して、スクランブル処理を施す。
【０２２３】
こうしてスクランブル処理されたセクタデータは、順次ＥＣＣエンコーディング回路６１に送られる。ＥＣＣエンコーディング回路６１では、送られてきたセクタデータを所定個数（例えば１６セクタ分ないし３２セクタ分）纏めてＥＣＣエンコーディングする。
【０２２４】
ＥＣＣエンコーディングされたデータは変調回路５１に送られる。変調回路５１は、変調用変換テーブル記録部５３から必要な情報を得ながら、送られてきたデータに所定の変調（例えば８／１６変調など、変調はこの方式に限るものではない）を施す。変調されたデータは、データ合成部４４に送られる。
【０２２５】
データ合成部４４に送られた変調後のデータのうち、各セクタの末尾部分の変調データ（例えば６チャンネルビット）に対して、そのデジタル・サム・バリュー（ＤＳＶ）の値が、ＤＳＶ値計算部４８で計算される。計算されたＤＳＶ値は、同期コード選択部４６に送られる。
【０２２６】
同期コード選択部４６は、ＤＳＶ値計算部４８で計算されたＤＳＶ値と、プリセットデータ発生部からの下位ｎビットデータまたは著作権管理情報のデータ発生部６７からの下位ｎビットデータとに基づいて、同期コード選択テーブル記録部４７に記録されている多種類の同期コードテーブルから、特定の（最適な）同期コードを選択する。
【０２２７】
なお、この実施の形態では、セクタ内の同一場所（例えば先頭位置）での同期コード（１９ａあるいは１９ｅ）に対する同期コードテーブルを、４種類以上（例えば８種類）用意してもよい。このようにすれば、各セクタ（３３または３４）の先頭位置にくる同期コードのビットパターンを複数種類（例えば８種類）利用できる。
【０２２８】
同期コード選択部４６により同期コード選択テーブル記録部４７から選択された同期コードテーブル中の同期コードは、データ合成部４４において、変調回路５１からの変調データと、交互に配置される。
【０２２９】
こうして構成されたデータが書替可能情報媒体２１（相変化記録方式を採用するＲＡＭディスク、ＲＷディスクなど）に書き込まれる。
【０２３０】
一方、合成されたデータが再生専用情報媒体用である場合は、そのデータは、
（ａ）ＲＯＭディスクの原盤記録部によりＲＯＭディスク複製用の原盤にカッティングされるか、
（ｂ）情報記録再生部４１により、一旦記録した後は再生専用となるＲディスク（書き込みレーザ照射部分の反射率が永久変化する色素を利用したディスクなど）に焼き込まれる。
【０２３１】
上記の装置の各ブロック要素の動作は、制御部４３内のＲＯＭに書き込まれた制御プログラムに従い、その中のＲＡＭをワークエリアに用いて、その中のＭＰＵにより、制御されるようになっている。
【０２３２】
図２９は、書替可能情報記憶媒体または再生専用情報記憶媒体に対する情報再生系の構成を説明するブロック図である。
【０２３３】
情報記録再生部（または記録機能のない再生部）４１により情報記憶媒体（２１または２２）から再生された直後のデータ構造では、例えば図２６の例の場合、復調前のデータ１５ａ、１５ｂ、…と同期コード１９ａ、１９ｂ、１９ｃ、…が混在配置されている。再生部４１で再生された直後のデータは、同期コード位置検出／抽出部４５および復調回路５２に送られる。
【０２３４】
同期コード位置検出／抽出部４５は、パターンマッチング法を用いて、再生された直後のデータ中から、各セクタ先頭の同期コードを検索し、検出する。先頭の同期コードが検出されたあと、そのセクタ内の後続同期コードも検出され、抽出される。
【０２３５】
抽出された同期コードの情報は、復調回路５２に送られる。復調回路５２は、同期コード位置検出／抽出部４５からの同期コードの情報により、再生部４１からの再生データのセクタ先頭位置を知るとともに、そのセクタ内の同期コード位置も知ることができる。
【０２３６】
復調回路５２内では、同期コード位置検出／抽出部４５からの同期コード情報により、セクタ内に含まれる同期コードが削除される。そして、削除後にセクタ内に残った復調後のデータ（これらは８／１６変調されている）は、復調用変換テーブル記録部５４からの復調情報に基づいて、復調される。
【０２３７】
復調回路５２で復調されたデータは、デスクランブル回路５８、ＥＣＣデコーディング回路６２に送られる。デスクランブル処理は、図２６、図２７にて説明した。
【０２３８】
即ち、デスクランブルされたデータの所定範囲には、特定データの情報が入っている。デスクランブル回路５８は、スクランブルされたままの特定データを用いて、まず、データＩＤ，ＩＥＤの部分をデスクランブルする。スクランブル解除されたデータＩＤ、ＩＥＤは、データＩＤ部＆ＩＥＤ部抽出部７１で抽出される。データＩＤ部＆ＩＥＤ部抽出部７１は、データＩＤ、ＩＥＤを制御部４３に送る。制御部４３は、順次得られるデータＩＤを監視している。
【０２３９】
スクランブル解除されたデータＩＤ・１の情報内容により、制御部４３のＭＰＵは、トラック外れ検出を行うことができる。
【０２４０】
トラック外れが合ったことが検出された場合、短期間内に再度、情報の読み取りを行なうことができる。
【０２４１】
復調回路５２で復調されたデータは、ＥＣＣデコーディング回路６２にも送られている。ＥＣＣデコーディング回路６２は、所定個数（１６個あるいは３２個など）分のセクタを１つのＥＣＣブロックにまとめ、ＥＣＣエンコーディングされたデータをＥＣＣデコーディングしてから、デスクランブル回路５８、５９に送っている。
【０２４２】
デスクランブル回路５９ではメインデータ部全体のデスクランブルを実行する。このときは、先に抽出したスクランブルされたままの特定データを用いている。この処理は、トラック外れがないことが検出されたときに実行される。
【０２４３】
なお、使用媒体が書替可能情報媒体２１であるか再生専用情報記憶媒体２２であるかの識別は、媒体の特定部（ディスク状媒体では内周部）に記録されているメディア識別情報（図示せず）を用いて行うことができる。
【０２４４】
デスクランブル処理後のデータは、データ配置部分交換部６４に送られる。データ配置部分交換部６４は、送られてきたデスクランブル処理後のデータの中の特定データをデータＩＤ部＆ＩＥＤ部抽出部７１に送る。
【０２４５】
デスクランブル処理されたデータの中のデータＩＤ、ＩＥＤはデータＩＤ部＆ＩＥＤ部抽出部７１により検出され、エラーチェック後のデータＩＤが抽出される。また、得られた各セクタデータの先頭位置から一定長後のメインデータ６はメインデータ抽出部７３により抽出され、インターフェイス部４２を介して、外部に出力される。
【０２４６】
図２９の装置の各ブロック要素の動作は、制御部４３内のＲＯＭに書き込まれた制御プログラムに従い、その中のＲＡＭをワークエリアに用いて、その中のＭＰＵにより、制御される。また、図３２から図３６で説明したデータ処理も制御プログラムに従い実行される。
【０２４７】
次に、スクランブル回路、デスクランブル回路の具体例について説明する。
【０２４８】
図３０はスクランブル回路、図３１はデスクランブル回路を示している。
【０２４９】
スクランブル対象のビット列を１ビットづつ８ビット（１バイト）単位で処理するようになっている。
【０２５０】
スクランブル回路５７は、８ビットのシフトレジスタ回路９１と、所定のオン／オフパターンを持つ８ビット分のスイッチアレイ９３と、このスイッチアレイ９３を介してシフトレジスタ回路９１の各ビットｒ０〜ｒ７に選択的に接続される加算回路アレイ９５とで構成されている。
【０２５１】
シフトレジスタ回路９１は最初はクリア（ＣＬＲ）されており、データポート（ＤＡＴＡ）への入力Ａがない状態では各ビットｒ０〜ｒ７は全て“０”となっている。シフトレジスタ回路９１は、所定のクロック（ＣＫ）のクロックタイミングでデータポートＤＡＴＡへの入力を１ビットづつ受け取り、受け取ったビットデータを順次ビットｒ０〜ｒ７にビットシフトしながら取り込むようになっている。
【０２５２】
加算回路アレイ９５は、シフトレジスタ回路９１の各ビットｒ０〜ｒ７に選択的に接続される７個の直列接続１ビット加算器と、これらの１ビット加算器の累積加算結果とスクランブル入力Ａとを１ビット加算して出力する終段１ビット加算器（アレイ９５の右端）とを備えている。この終段１ビット加算器から、スクランブル結果（スクランブルデータ１１ａ）が出力される。
【０２５３】
なお、スイッチアレイ９３のオン／オフパターンは、図３１に示すデスクランブル回路５９のスイッチアレイ９３のオン／オフパターンと同じである。このオン／オフパターンは、スクランブル／デスクランブル処理にとって一種の鍵情報となっている。
【０２５４】
スクランブル回路５７は、図２４の符号ａ，或は図２５の符号ｊに相当する入力ａまたはｂに対して、次のように動作する。
【０２５５】
＜入力ａの場合＞
まず、スクランブルしようとするセクタデータから抽出された特定データ（データタイプ４、プリセットデータ４のうちの最初の８ビット）の先頭から、加算回路アレイ９５の終段１ビット加算器（アレイ９５の右端）を介して、シフトレジスタ回路９１のデータポートＤＡＴＡに入力される。この特定データＳＤ−Ａ（８ビットの０／１ビット列）は、その先頭から１ビットづつ、クロックＣＫのタイミングに同期して、シフトレジスタ回路９１の各ビットｒ０〜ｒ７に順次取り込まれる。
【０２５６】
シフトレジスタ回路９１の各ビットｒ０〜ｒ７は、所定のオン／オフパターンを持つ８ビット分のスイッチアレイ９３を介して、８個の直列接続された１ビット加算器からなる加算回路アレイ９５に接続されている。加算回路アレイ９５は、スイッチアレイ９３のうちオンとなっている位置のシフトレジスタビット（例えばビットｒ７、ｒ５、ｒ３、ｒ１）にセットされた（セット前ならクリアされた状態の）１ビットデータ（“０”または“１”）を累積的にリアルタイムで１ビット加算（２進加算）して、加算結果（１ビットの“０”または“１”）を終段の１ビット加算器（入力Ａが与えられている１ビット加算器）に入力している。この終段１ビット加算器の出力（１ビット加算結果）が、入力Ａに対する最初のスクランブル結果のビットであり、スクランブルデータ１１ａの特定データの先頭となる。
【０２５７】
同様に、クロックＣＫのタイミングに同期して１ビットづつシリアルにスクランブル前のデータビットがシフトレジスタ回路９１に取り込まれ、これと同時並行して、クロックＣＫのタイミングに同期して１ビットづつシリアルにスクランブル後のデータビットが加算回路アレイ９５の終段１ビット加算器から出力される。こうして最初の８ビットのスクランブルデータ出力が済むと、休止なく直ちに、次の８ビットが同様にスクランブルされ、スクランブル後のデータビットが加算回路アレイ９５の終段１ビット加算器から出力される。以下同様に、所定単位（８ビットすなわち１バイト）で後続データ（データＩＤ・１以後）がスクランブルされ、スクランブルデータ１１ａとして、ＥＣＣエンコーディング回路６１に送られる。
【０２５８】
このようにしてシリアルに得られた８ビット（１バイト）単位の０／１ビット列のうち、最初の所定バイト数（例えば１バイト）で構成される特定データ相当分は、スクランブルの火種（スクランブル処理開始のきっかけ）として用いられたものである。これは記録情報としては不要なので、後の記録処理で捨てる（あるいは無視する）ことになる。捨てられた特定データ相当分と同じ内容はその後のスクランブルデータ中にも含まれているので、捨てても困らない。
【０２５９】
＜入力ｂの場合＞
スクランブル回路５７の回路動作そのものは、入力ａの場合と同じである。ただし、入力ａの場合はスクランブルの火種が時変データ（プリセットデータ４）を含んデータのに対し、入力ｂの場合はスクランブルの火種が固定データ（著作権管理情報ＣＰＲ＿ＭＡＩ）となっていることが異なる。入力ａと入力ｂとではスクランブルの火種が異なっているので、同じスクランブル回路が用いられていても、入力ａに対するスクランブル後のデータ１１ａと入力ｂに対するスクランブル後のデータ１１ｂは、異なるビット配列となる。
【０２６０】
図３０のスクランブル回路５７においては、加算回路アレイ９５が処理ループを構成していない（終段１ビット加算器の加算結果が他の加算器入力にフィードバックしていない）ので、スクランブル処理中に何らかの原因でエラーが発生しても、そのエラーが８ビット分以上広がることはない。すなわち、エラー伝搬距離が８ビットに制限されているため、スクランブル回路動作上の信頼性が高くなる。
【０２６１】
図３１は、デスクランブルする回路５８の一例を示す回路図である。ここでは、スクランブル回路５７と同様に、デスクランブル対象のビット列を１ビットづつ８ビット（１バイト）単位で処理するようになっている。
【０２６２】
デスクランブルする回路５８は、８ビットのシフトレジスタ回路９１と、所定のオン／オフパターン（図３０のスイッチアレイ９３のオン／オフパターンと同じ）を持つ８ビット分のスイッチアレイ９３と、このスイッチアレイ９３を介してシフトレジスタ回路９１の各ビットｒ０〜ｒ７に選択的に接続される加算回路アレイ９５とで構成されている。
【０２６３】
ここで、シフトレジスタ回路９１は最初はクリアＣＬＲされており、データポートＤＡＴＡへの入力がない状態では各ビットｒ０〜ｒ７は全て“０”となっている。シフトレジスタ回路９１は、所定のクロックＣＫのクロックタイミングでデータポートＤＡＴＡへの入力を１ビットづつ受け取り、受け取ったビットデータを順次ビットｒ０〜ｒ７にビットシフトしながら取り込むようになっている。
【０２６４】
加算回路アレイ９５は、シフトレジスタ回路９１の各ビットｒ０〜ｒ７に選択的に接続される８個の直列接続１ビット加算器を備えている。ビットｒ０に選択的に接続される初段１ビット加算器（アレイ９５の右端）に、デスクランブルするビット列が、その先頭から１ビットづつ入力される。そして、加算回路アレイ９５の１ビット加算器の累積加算結果は、終段１ビット加算器（アレイ９５の左端）から出力される。この終段１ビット加算器から、デ・スクランブル結果（出力ｃまたは出力ｄ）のビット列が得られる。
【０２６５】
＜図２３に示したデータがデスクランブルされる場合＞
図３１のデスクランブルする回路は、符号ａに示すようなスクランブルデータスクランブルデータ１６に対して、次のように動作する。
【０２６６】
スクランブルされたままのデータタイプとプリセットデータの位置のデータ２３と、スクランブルされたままのデータ１７が順次シフトレジスタ回路９１のデータポートＤＡＴＡに入力される。このデータ（８ビットの０／１ビット列）は、その先頭から１ビットづつ、クロックＣＫのタイミングに同期して、シフトレジスタ回路９１の各ビットｒ０〜ｒ７に順次取り込まれる。
【０２６７】
シフトレジスタ回路９１の各ビットｒ０〜ｒ７は、図３０のスイッチアレイ９３と同じオン／オフパターンを持つ８ビット分のスイッチアレイ９３を介して、８個の直列接続された１ビット加算器からなる加算回路アレイ９５に接続されている。加算回路アレイ９５は、スイッチアレイ９３のうちオンとなっている位置のシフトレジスタビットにセットされた１ビットデータ（“０”または“１”）を累積的にリアルタイムで１ビット加算（２進加算）して、加算結果（１ビットの“０”または“１”）を終段の１ビット加算器（レジスタｒ７が接続されている左端の１ビット加算器）から出力している。この終段１ビット加算器の出力（１ビット加算結果）が、デスクランブル後のデータとなる。
【０２６８】
同様に、クロックＣＫのタイミングに同期して１ビットづつシリアルにデ・スクランブル前のデータビットがシフトレジスタ回路９１に取り込まれるとともに加算回路アレイ９５の右端の初段１ビット加算器に入力され、クロックＣＫのタイミングに同期して１ビットづつシリアルにデスクランブル後のデータビットが加算回路アレイ９５の終段１ビット加算器から出力される。こうして最初の８ビットのデスクランブルデータ出力が済むと、休止なく直ちに、次の８ビットが同様にスクランブルされ、スクランブル後のデータビットが加算回路アレイ９５の終段１ビット加算器から出力される。以下同様に、所定単位（８ビットすなわち１バイト）で後続データがデスクランブルされ、デースクランブル後の出力Ａが得られる。
【０２６９】
このようにしてシリアルに得られた８ビット（１バイト）単位の０／１ビット列のうち、最初の所定バイト数（ここでは１バイト）で構成される特定データ相当分は、デスクランブルの処理開始のきっかけとして用いられたものであり、再生情報としては不要なので、後の記録処理で捨てる（あるいは無視する）ことになる。捨てられた特定データ（ＳＤ−Ａ）相当分と同じ内容はその後のスクランブルデータ中に含まれているので、捨てても困らない。
【０２７０】
＜図２４に示したようなデータがデスクランブルされる場合＞
デスクランブルする回路の回路動作そのものは、データ１７の場合と同じである。ただし、データ１７の場合はデ・スクランブルの火種が時変データ（プリセットデータ４）を含んデータのに対し、データ１８の場合はデ・スクランブルの火種が固定データ（著作権管理情報ＣＰＲ＿ＭＡＩ）となっていることが異なる。
【０２７１】
このデ・スクランブルする回路においても、加算回路アレイ９５は処理ループを構成していない（終段１ビット加算器の加算結果が他の加算器入力にフィードバックしていない）ので、デスクランブル処理中に何らかの原因でエラーが発生しても、そのエラーが８ビット分以上広がることはない。すなわち、エラー伝搬距離が８ビットに制限されているため、デ・スクランブル回路動作上の信頼性が高い。
【０２７２】
＜図３１の実施の形態の特徴＞
もし、デスクランブル回路が入力データに対するフィードバックループを持つ場合は、何らかの原因（情報記憶媒体２１／２２上の欠陥および／または媒体表面のゴミや傷の等の影響）で入力データにエラーが発生すると、フィードバックループの循環処理動作により、それ以後の処理にエラーが伝搬されてしまう。しかし、フィードバックループを持たないようにすれば、仮に入力データにエラーが含まれた場合でもそのエラー箇所がフィードバック（循環）されることはなく、シフトレジスタ回路９１内を通過した後はそのままシフトレジスタ回路９１内から消えてしまう。つまり、フィードバックループを持たない回路構成を取ることで、シフトレジスタ回路９１のビット数以上はエラー伝搬しない特性（エラー伝搬抑制特性）が現れる。
【０２７３】
以上説明したようにこの発明によれば、同期コードの位置検出に関する簡素化を図ると共に同期コードの検出信頼性を向上させることが可能となる。
【図面の簡単な説明】
【０２７４】
【図１】この発明に係る再生専用情報記憶媒体又は情報記憶媒体の再生専用領域内のデータ配置方法を説明するための説明図。
【図２】図１の関連において、再生専用情報記憶媒体又は情報記憶媒体の再生専用領域内のデータ配置方法を説明するための説明図。
【図３】再生専用情報記憶媒体又は情報記憶媒体の再生専用領域内における１セグメント領域（連続データ記録単位）範囲の説明図。
【図４】この発明に係る情報記憶媒体上のデータ配置方法の効果を説明するために示した比較用の説明図。
【図５】この発明に係る情報記憶媒体上のデータ配置方法の効果を説明するために示した説明図。
【図６】この発明に係る記録可能な情報記憶媒体の記録領域（追記可能領域又は書き換え可能領域）内における１セグメント領域（連続データ記録単位）範囲を示す説明図。
【図７】この発明に係る記録可能な情報記憶媒体の記録領域（追記可能領域又は書き換え可能領域）内におけるユーザデータ記録方法の一例を示す説明図。
【図８】この発明に係る記録可能な情報記憶媒体の構造と図７に示したユーザデータ記録方法を説明するために示した図。
【図９】この発明に係る記録可能な情報記憶媒体の構造と図７に示したユーザデータ記録方法を図８に関連して説明するために示した図。
【図１０】本発明に係る図８に示した隙間領域の必要性に関する説明図。
【図１１】この発明に係る記録可能な情報記憶媒体の記録領域（追記可能領域又は書き換え可能領域）内におけるユーザデータ記録方法の第２の例を示す説明図。
【図１２】この発明に係る記録可能な情報記憶媒体の記録領域（追記可能領域又は書き換え可能領域）内におけるユーザデータ記録方法の第３の例を示す説明図。
【図１３】この発明に係る情報記憶媒体の再生専用領域、追記可能領域、書き換え可能領域のデータ構造に対して適用されている物理セクタと論理セクタとの関係ついて説明するための図。
【図１４】この発明に係る情報記憶媒体の再生専用領域、追記可能領域、書き換え可能領域のデータ構造に対して適用されている物理セクタと論理セクタと更にスクランブル後の情報について説明するための図。
【図１５】この発明に係る情報記憶媒体の再生専用領域、追記可能領域、書き換え可能領域のデータ構造に対して適用されているＥＣＣブロックについて説明するための図。
【図１６】この発明に係る情報記憶媒体の再生専用領域、追記可能領域、書き換え可能領域のデータ構造に対して適用されている物理セクタとＥＣＣブロックの関係について説明するための図。
【図１７】この発明に係る情報記憶媒体の再生専用領域、追記可能領域、書き換え可能領域のデータ構造に対して適用されているシンクフレームデータの配置について説明するための図。
【図１８】上記のシンクフレームデータと同期コード、シンクフレーム長の関係について示す説明図。
【図１９】この発明に係る同期コードの構造の例を示す説明図。
【図２０】この発明に係る同期コードの構造の詳細な例を示す説明図。
【図２１】この発明に係る同期コードとシンクフレームデータの配置パターンの例を示す説明図。
【図２２】上記の同期コード内のシンクフレーム位置識別用コードの並び順から１物理セクタ内のシンクフレーム位置を割り出す方法を示す説明図。
【図２３】同じく上記の同期コード内のシンクフレーム位置識別用コードの並び順から１物理セクタ内のシンクフレーム位置を割り出す方法を示す説明図。
【図２４】この発明に係る情報記憶媒体上に記録されるデータのスクランブル処理の方法を示す説明図。
【図２５】この発明に係る情報記憶媒体上に記録されるデータのスクランブル処理の方法を示す説明図。
【図２６】この発明に係る情報記憶媒体上に記録されたデータがデスクランブル処理される方法を示す説明図。
【図２７】この発明に係る情報記憶媒体上に記録されたデータがデスクランブル処理される方法を示す説明図。
【図２８】この発明に係る情報記録再生装置の構成において記録系を示す図。
【図２９】この発明に係る情報記録再生装置の構成において再生系を示す図。
【図３０】この発明に係るスクランブル回路の構成例を示す図。
【図３１】この発明に係るデスクランブル回路の構成例を示す図。
【図３２】この発明に係る情報記録再生装置においてＰＡ領域を利用して所定位置へのアクセス制御方法を示すフローチャート。
【図３３】図３２の続きを示すフローチャート。
【図３４】この発明に係る情報記録再生装置においてＰＳ領域を利用して所定位置へのアクセス制御方法を示すフローチャート。
【図３５】図３４の続きを示すフローチャート。
【図３６】この発明に係る情報記録再生装置における記録方法又は書き換え方法を説明するために示すフローチャート。
【符号の説明】
【０２７５】
９…情報記憶媒体、５−０、５−１、５−２、…物理セクタデータ、１１０…同期コード、３０１ａ…中間領域、３０３ａ…ユーザデータ領域、３０４…エラー訂正コードブロック、３０５ａ，３０５ｂ…１セグメント領域、３０８…シンクフレーム長、３１１…ＰＡ領域、３１２…ＶＦＯ領域、３１３…ＰＳ領域。
【図１】
2006269073.tif 000003
【図２】
2006269073.tif 000004
【図３】
2006269073.tif 000005
【図４】
2006269073.tif 000006
【図５】
2006269073.tif 000007
【図６】
2006269073.tif 000008
【図７】
2006269073.tif 000009
【図８】
2006269073.tif 000010
【図９】
2006269073.tif 000011
【図１０】
2006269073.tif 000012
【図１１】
2006269073.tif 000013
【図１２】
2006269073.tif 000014
【図１３】
2006269073.tif 000015
【図１４】
2006269073.tif 000016
【図１５】
2006269073.tif 000017
【図１６】
2006269073.tif 000018
【図１７】
2006269073.tif 000019
【図１８】
2006269073.tif 000020
【図１９】
2006269073.tif 000021
【図２０】
2006269073.tif 000022
【図２１】
2006269073.tif 000023
【図２２】
2006269073.tif 000024
【図２３】
2006269073.tif 000025
【図２４】
2006269073.tif 000026
【図２５】
2006269073.tif 000027
【図２６】
2006269073.tif 000028
【図２７】
2006269073.tif 000029
【図２８】
2006269073.tif 000030
【図２９】
2006269073.tif 000031
【図３０】
2006269073.tif 000032
【図３１】
2006269073.tif 000033
【図３２】
2006269073.tif 000034
【図３３】
2006269073.tif 000035
【図３４】
2006269073.tif 000036
【図３５】
2006269073.tif 000037
【図３６】
2006269073.tif 000038